(57)【要約】  本発明は、衣類処理設備に用いられる衣類処理剤投入部材及び衣類処理設備であって、該衣類処理設備は本体を備え、衣類処理剤投入部材は、格納容器（３）と投入装置（１）とを備え、格納容器（３）は、本体に固定設置され衣類処理剤を格納するために使用され、投入装置（１）は、格納容器（３）に対して移動でき、衣類処理剤を投入するために使用され、該衣類処理剤投入部材は、投入装置（１）が格納容器（３）に対して移動できると同時に、投入装置（１）における衣類処理剤が格納容器（３）に流れ込むこともできるように、一端が投入装置（１）と連通し、他端が格納容器（３）と連通する套管装置を更に備える。投入装置（１）が移動するときに、套管部材は閉塞することも絡まることもなく、ユーザーにとって操作が便利であり、ユーザー体験が向上される。【選択図】図１
2021505327.tif 000002
【特許請求の範囲】
【請求項１】
衣類処理設備に用いられる衣類処理剤投入部材であって、
前記衣類処理設備は本体を備え、前記衣類処理剤投入部材は、連通された格納容器と投入装置とを備え、前記格納容器は、前記本体に固定設置され衣類処理剤を格納するために使用され、前記投入装置は、前記格納容器に対して移動でき、衣類処理剤を投入するために使用されることを特徴とする衣類処理剤投入部材。
【請求項２】
前記衣類処理剤投入部材は套管装置を更に備え、前記投入装置が前記格納容器に対して移動できると同時に、前記投入装置における衣類処理剤が前記格納容器に流れ込むことができるように、前記套管装置の一端が前記投入装置と連通し、他端が前記格納容器と連通することを特徴とする請求項１に記載の衣類処理剤投入部材。
【請求項３】
前記投入装置は、少なくとも１つの投入チャンバーを備え、前記套管装置は、前記投入チャンバーに１つずつ対応する少なくとも１つの套管セットを備え、前記套管セット毎は、１つの前記投入チャンバーを前記格納容器に連通させることを特徴とする請求項２に記載の衣類処理剤投入部材。
【請求項４】
前記套管セット毎には、第１の端部套管と第２の端部套管とを備え、前記第１の端部套管は前記投入チャンバーと連通し、前記第２の端部套管は前記格納容器と連通し、前記第１の端部套管と前記第２の端部套管は互いに密封してスリーブ接続されることを特徴とする請求項３に記載の衣類処理剤投入部材。
【請求項５】
前記套管セット毎には、前記第１の端部套管と前記第２の端部套管との間に設置される少なくとも１つの中間套管を更に備え、前記中間套管の両端はそれぞれ前記第１の端部套管及び前記第２の端部套管と互いに密封してスリーブ接続されることを特徴とする請求項４に記載の衣類処理剤投入部材。
【請求項６】
前記衣類処理剤は、洗剤と柔軟剤とを含み、前記少なくとも１つの投入チャンバーは、洗剤投入チャンバーと柔軟剤投入チャンバーとを備えることを特徴とする請求項３に記載の衣類処理剤投入部材。
【請求項７】
前記投入チャンバーの底壁は、前記格納容器の方向に向けて下方に傾斜しており、及び/又は前記格納容器の底壁は、前記投入装置から離れる方向に沿って下方に傾斜していることを特徴とする請求項３に記載の衣類処理剤投入部材。
【請求項８】
前記第１の端部套管は前記投入チャンバーの後側壁の底部に接続され、前記第２の端部套管は、前記格納容器の前側壁の頂部に接続されることを特徴とする請求項４に記載の衣類処理剤投入部材。
【請求項９】
前記投入装置にはガイドレールが設けられ、前記本体には前記ガイドレールに合わせた平行移動機構が設けられ、前記投入装置は、前記ガイドレールと前記平行移動機構との協働により、前記格納容器に対して後退位置と突出位置との間を平行移動できることを特徴とする請求項３〜８のいずれか一項に記載の衣類処理剤投入部材。
【請求項１０】
前記投入装置はトリム板を更に備え、前記投入装置が後退位置にある場合、前記トリム板が前記衣類処理設備の操作パネルと面一であることを特徴とする請求項９に記載の衣類処理剤投入部材。
【請求項１１】
前記衣類処理剤投入部材は、前記投入装置を突出位置に自動的にイジェクトさせるための自動イジェクト機構を更に備えることを特徴とする請求項１０に記載の衣類処理剤投入部材。
【請求項１２】
前記トリム板には、前記投入装置を突出位置に自動的にイジェクトさせるように、押し付けられると前記自動イジェクト機構が起動する押しボタンが設置されることを特徴とする請求項１１に記載の衣類処理剤投入部材。
【請求項１３】
前記衣類処理剤投入部材は、前記投入装置又は前記本体に設けられたロックフックと、前記本体又は前記投入装置に対応して設けられたラッチとを含むロック機構を更に備え、前記投入装置が後退位置にある場合、前記ロックフックは前記ラッチと係合して前記投入装置を後退位置にロックすることを特徴とする請求項９に記載の衣類処理剤投入部材。
【請求項１４】
前記自動イジェクト機構は、一端が前記本体又は前記格納容器に接続され、他端が前記投入装置に接続された弾性リセット部材を備え、前記投入装置が後退位置にある場合、前記弾性リセット部材は、前記投入装置を前記格納容器から離れる方向に向けて付勢することを特徴とする請求項１１に記載の衣類処理剤投入部材。
【請求項１５】
前記衣類処理剤投入部材は、前記格納容器と連通し、前記格納容器における衣類処理剤を前記衣類処理設備の作業チャンバーにポンプ輸送するためのポンプ輸送装置を更に備えることを特徴とする請求項２〜８のいずれか一項に記載の衣類処理剤投入部材。
【請求項１６】
前記衣類処理剤投入部材は、前記投入装置を前記格納容器と連通させるとともに、前記投入装置を前記格納容器に対して移動可能なように設置される連通装置を更に備えることを特徴とする請求項１に記載の衣類処理剤投入部材。
【請求項１７】
前記連通装置は挿着装置の形態で設置され、前記挿着装置の一部が前記投入装置に設けられ、その他の一部が前記格納容器に設けられるので、前記投入装置が前記格納容器に対して突出位置に移動すると、前記挿着装置は前記投入装置を前記格納容器と連通させ、前記投入装置における衣類処理剤を前記格納容器に流し込むことができることを特徴とする請求項１６に記載の衣類処理剤投入部材。
【請求項１８】
前記投入装置は、少なくとも１つの投入チャンバーを備え、前記挿着装置は、前記投入チャンバーに１つずつ対応する少なくとも１つの挿着部材を備え、前記各挿着部材は、１つの前記投入チャンバーを前記格納容器に連通させることを特徴とする請求項１７に記載の衣類処理剤投入部材。
【請求項１９】
前記挿着部材毎は、前記投入チャンバーと連通し且つ衣類処理剤出口を含む第１の流路部材と、前記格納容器と連通し且つ衣類処理剤入口を含む第２の流路部材と、を備え、前記投入装置が前記格納容器に対して突出位置に移動すると、前記衣類処理剤出口と前記衣類処理剤入口は嵌合して密封されることを特徴とする請求項１８に記載の衣類処理剤投入部材。
【請求項２０】
前記第１の流路部材には、前記衣類処理剤出口を形成する挿管が設けられ、前記第２の流路部材には、前記衣類処理剤入口を形成する挿入孔が設けられ、前記投入装置が前記格納容器に対して突出位置に移動すると、前記挿管と前記挿入孔は係合して密封されることを特徴とする請求項１９に記載の衣類処理剤投入部材。
【請求項２１】
前記第１の流路部材には、前記衣類処理剤出口を形成する挿入孔が設けられ、前記第２の流路部材には、前記衣類処理剤入口を形成する挿管が設けられ、前記投入装置が前記格納容器に対して突出位置に移動すると、前記挿入孔と前記挿管は係合して密封されることを特徴とする請求項１９に記載の衣類処理剤投入部材。
【請求項２２】
前記挿管には、通常の状態で前記衣類処理剤出口に貼り合わされることで前記衣類処理剤出口を閉鎖する第１のバルブプレートが設置され、
前記挿入孔には、通常の状態で前記衣類処理剤入口に貼り合わされることで前記衣類処理剤入口を閉鎖する第２のバルブプレートが設置され、
前記第２のバルブプレートには、更に外に延びる支柱が設けられ、前記挿管と前記挿入孔とが係合すると、前記挿管は前記第２のバルブプレートを押して前記衣類処理剤入口を開くと同時に、前記支柱が前記第１のバルブプレートを押して前記衣類処理剤出口を開くことを特徴とする請求項２０に記載の衣類処理剤投入部材。
【請求項２３】
前記第１の流路部材は、前記投入チャンバーから下方に延びる本体部分を備え、前記挿管は、前記本体部分から外側に水平に延び、
前記第２の流路部材は、前記格納容器から外側に水平に延びる本体区間と、前記本体区間から上方に延びる鉛直区間とを備え、前記鉛直区間の内側に前記挿入孔が形成されていることを特徴とする請求項２０に記載の衣類処理剤投入部材。
【請求項２４】
前記第２の流路部材の本体区間の底壁は、前記投入装置から離れる方向に沿って下方に傾斜していることを特徴とする請求項２３に記載の衣類処理剤投入部材。
【請求項２５】
前記投入チャンバーの底壁は、前記格納容器の方向に向けて下方に傾斜しており、及び/又は前記格納容器の底壁は、前記投入装置から離れる方向に沿って下方に傾斜していることを特徴とする請求項１８に記載の衣類処理剤投入部材。
【請求項２６】
前記衣類処理剤は、洗剤と柔軟剤とを含み、前記少なくとも１つの投入チャンバーは、洗剤投入チャンバーと柔軟剤投入チャンバーとを備えることを特徴とする請求項１８に記載の衣類処理剤投入部材。
【請求項２７】
前記投入装置にはガイドレールが設けられ、前記本体には前記ガイドレールに合わせた平行移動機構が設けられ、前記投入装置は、前記ガイドレールと前記平行移動機構との協働により、前記格納容器に対して後退位置と突出位置との間を平行移動できることを特徴とする請求項１６〜２６のいずれか一項に記載の衣類処理剤投入部材。
【請求項２８】
前記投入装置は、前記投入装置が後退位置にある場合、前記衣類処理設備の操作パネルと面一になるトリム板を更に備えることを特徴とする請求項２７に記載の衣類処理剤投入部材。
【請求項２９】
前記衣類処理剤投入部材は、前記投入装置を突出位置に自動的にイジェクトさせるための自動イジェクト機構を更に備えることを特徴とする請求項２８に記載の衣類処理剤投入部材。
【請求項３０】
前記トリム板には、前記投入装置を突出位置に自動的にイジェクトさせるように、押し付けられると前記自動イジェクト機構が起動する押しボタンが設置されることを特徴とする請求項２９に記載の衣類処理剤投入部材。
【請求項３１】
前記衣類処理剤投入部材は、前記投入装置又は前記本体に設けられたロックフックと、前記本体又は前記投入装置に対応して設けられたラッチとを含むロック機構を更に備え、前記投入装置が後退位置にある場合、前記ロックフックは前記ラッチと係合して前記投入装置を後退位置にロックすることを特徴とする請求項２７に記載の衣類処理剤投入部材。
【請求項３２】
前記自動イジェクト機構は、一端が前記本体又は前記格納容器に接続され、他端が前記投入装置に接続された弾性リセット部材を備え、前記投入装置が後退位置にある場合、前記弾性リセット部材は、前記投入装置を前記格納容器から離れる方向に向けて付勢することを特徴とする請求項２９に記載の衣類処理剤投入部材。
【請求項３３】
前記衣類処理剤投入部材は、前記格納容器と連通し、前記格納容器における衣類処理剤を前記衣類処理設備の作業チャンバーにポンプ輸送するためのポンプ輸送装置を更に備えることを特徴とする請求項１６〜２６のいずれか一項に記載の衣類処理剤投入部材。
【請求項３４】
前記衣類処理剤投入部材は、枢動機構を備え、前記投入装置は前記枢動機構によって前記本体に対して枢動し、且つ前記枢動機構には、前記投入装置を前記格納容器と連通させる流れ通路が設けられていることを特徴とする請求項１に記載の衣類処理剤投入部材。
【請求項３５】
前記枢動機構は、軸座と、前記軸座に枢動可能なように挿入された枢軸と、を備え、前記流れ通路は、前記軸座に設けられた第１の流れ通路と、前記枢軸に設けられた第２の流れ通路と、を備え、前記第１の流れ通路は前記格納容器と連通し、前記第２の流れ通路は前記第１の流れ通路及び前記投入装置と連通することを特徴とする請求項３４に記載の衣類処理剤投入部材。
【請求項３６】
前記投入装置は、少なくとも１つの投入チャンバーを備え、前記枢軸には、前記投入チャンバーに１つずつ対応する少なくとも１つの衣類処理剤入口が設けられ、前記衣類処理剤入口毎は、１つの前記投入チャンバーを前記第２の流れ通路に連通させることを特徴とする請求項３５に記載の衣類処理剤投入部材。
【請求項３７】
前記軸座両端の内壁又は前記枢軸両端の外壁には、シールリングが設けられた密封溝が設置されていることを特徴とする請求項３５に記載の衣類処理剤投入部材。
【請求項３８】
前記衣類処理剤投入部材は、前記軸座と前記格納容器との間に設けられ、前記第１の流れ通路を前記格納容器に連通させるための連通部材を更に備えることを特徴とする請求項３５に記載の衣類処理剤投入部材。
【請求項３９】
前記連通部材の底壁は、前記投入装置から離れる方向に沿って下方に傾斜していることを特徴とする請求項３８に記載の衣類処理剤投入部材。
【請求項４０】
前記投入チャンバーの底壁は、前記格納容器の方向に向けて下方に傾斜しており、及び/又は前記格納容器の底壁は、前記投入装置から離れる方向に沿って下方に傾斜していることを特徴とする請求項３６に記載の衣類処理剤投入部材。
【請求項４１】
前記衣類処理剤は、洗剤と柔軟剤とを含み、前記少なくとも１つの投入チャンバーは、洗剤投入チャンバーと柔軟剤投入チャンバーとを備えることを特徴とする請求項３６に記載の衣類処理剤投入部材。
【請求項４２】
前記衣類処理剤投入部材は、前記投入装置を突出位置に自動的にイジェクトさせるための自動イジェクト機構を更に備えることを特徴とする請求項３４〜４１のいずれか一項に記載の衣類処理剤投入部材。
【請求項４３】
前記投入装置は、前記投入装置が閉位置に枢動する場合、前記衣類処理設備の操作パネルと面一になるトリム板を更に備えることを特徴とする請求項４２に記載の衣類処理剤投入部材。
【請求項４４】
前記トリム板には、前記投入装置を突出位置に自動的にイジェクトさせるように、押し付けられると前記自動イジェクト機構が起動する押しボタンが設置されることを特徴とする請求項４３に記載の衣類処理剤投入部材。
【請求項４５】
前記衣類処理剤投入部材は、前記投入装置又は前記本体に設けられたロックフックと、前記本体又は前記投入装置に対応して設けられたラッチとを含むロック機構を更に備え、前記投入装置が閉位置に枢動する場合、前記ロックフックは前記ラッチと係合して前記投入装置を閉位置にロックすることを特徴とする請求項４３に記載の衣類処理剤投入部材。
【請求項４６】
前記自動イジェクト機構は、一端が前記本体に接続され、他端が前記投入装置に接続された弾性リセット部材を備え、前記投入装置が閉位置にある場合、前記弾性リセット部材は、前記投入装置に開放位置に向けて枢動する付勢力を加えることを特徴とする請求項４３に記載の衣類処理剤投入部材。
【請求項４７】
前記弾性リセット部材はねじりばねであることを特徴とする請求項４６に記載の衣類処理剤投入部材。
【請求項４８】
前記衣類処理剤投入部材は、前記格納容器と連通し、前記格納容器における衣類処理剤を前記衣類処理設備の作業チャンバーにポンプ輸送するためのポンプ輸送装置を更に備えることを特徴とする請求項３４〜４１のいずれか一項に記載の衣類処理剤投入部材。
【請求項４９】
前記衣類処理剤投入部材は、縦向き枢動機構を更に備え、前記投入装置は前記縦向き枢動機構によって前記本体に対して縦向き軸線に沿って枢動し、且つ前記縦向き枢動機構には、前記投入装置を前記格納容器と連通させる流れ通路が設けられていることを特徴とする請求項１に記載の衣類処理剤投入部材。
【請求項５０】
前記縦向き枢動機構は、軸座と、前記軸座に枢動可能なように挿入された枢軸と、を備え、前記流れ通路は、前記枢軸に設けられることを特徴とする請求項４９に記載の衣類処理剤投入部材。
【請求項５１】
前記投入装置は、少なくとも１つの投入チャンバーを備え、前記枢軸には、前記投入チャンバーに１つずつ対応する少なくとも１つの導流管が設けられ、前記導流管毎は、１つの前記投入チャンバーを前記格納容器に連通させることを特徴とする請求項５０に記載の衣類処理剤投入部材。
【請求項５２】
前記軸座の内壁又は前記枢軸の外壁には、シールリングが設けられた密封溝が設置されていることを特徴とする請求項５０に記載の衣類処理剤投入部材。
【請求項５３】
前記衣類処理剤投入部材は、前記軸座と前記格納容器との間に設けられ、且つ前記導流管と１つずつ対応する少なくとも１つの導流通路を含む連通部材を更に備え、前記導流通路毎は１つの前記導流管を前記格納容器に連通させるために使用されることを特徴とする請求項５１に記載の衣類処理剤投入部材。
【請求項５４】
前記衣類処理剤は、洗剤と柔軟剤とを含み、前記少なくとも１つの投入チャンバーは、洗剤投入チャンバーと柔軟剤投入チャンバーとを備えることを特徴とする請求項５１に記載の衣類処理剤投入部材。
【請求項５５】
前記導流管は第１の導流管と第２の導流管とを備えることを特徴とする請求項５３に記載の衣類処理剤投入部材。
【請求項５６】
前記導流通路は、前記第２の導流管と連通する底層導流通路と、前記第１の導流管と連通する頂層導流通路と、を備えることを特徴とする請求項５５に記載の衣類処理剤投入部材。
【請求項５７】
前記枢軸の回転軸線は、前記第２の導流管の回転軸線と互いに重なり合うことを特徴とする請求項５６に記載の衣類処理剤投入部材。
【請求項５８】
前記導流通路の底壁は、前記投入装置から離れる方向に沿って下方に傾斜していることを特徴とする請求項５３に記載の衣類処理剤投入部材。
【請求項５９】
前記投入チャンバーの底壁は、前記格納容器の方向に向けて下方に傾斜しており、及び/又は前記格納容器の底壁は、前記投入装置から離れる方向に沿って下方に傾斜していることを特徴とする請求項５１に記載の衣類処理剤投入部材。
【請求項６０】
前記投入装置の内側は、前記本体から外側に枢動するように弧状に設置されることを特徴とする請求項４９〜５９のいずれか一項に記載の衣類処理剤投入部材。
【請求項６１】
前記衣類処理剤投入部材は、前記投入装置を突出位置に自動的にイジェクトさせるための自動イジェクト機構を更に備えることを特徴とする請求項４９〜５９のいずれか一項に記載の衣類処理剤投入部材。
【請求項６２】
前記投入装置は、前記投入装置が閉位置に枢動する場合、前記衣類処理設備の操作パネルと面一になるトリム板を更に備えることを特徴とする請求項６１に記載の衣類処理剤投入部材。
【請求項６３】
前記トリム板には、前記投入装置を開放位置に自動的にイジェクトさせるように、押し付けられると前記自動イジェクト機構が起動する押しボタンが設置されることを特徴とする請求項６２に記載の衣類処理剤投入部材。
【請求項６４】
前記衣類処理剤投入部材は、前記投入装置又は前記本体に設けられたロックフックと、前記本体又は前記投入装置に対応して設けられたラッチとを含むロック機構を更に備え、前記投入装置が閉位置に枢動する場合、前記ロックフックは前記ラッチと係合して前記投入装置を閉位置にロックすることを特徴とする請求項６１に記載の衣類処理剤投入部材。
【請求項６５】
前記自動イジェクト機構は、一端が前記本体に接続され、他端が前記投入装置に接続された弾性リセット部材を備え、前記投入装置が閉位置にある場合、前記弾性リセット部材は、前記投入装置に開放位置に向けて枢動する付勢力を加えることを特徴とする請求項６１に記載の衣類処理剤投入部材。
【請求項６６】
前記弾性リセット部材はねじりばねであることを特徴とする請求項６５に記載の衣類処理剤投入部材。
【請求項６７】
前記衣類処理剤投入部材は、前記格納容器と連通し、前記格納容器における衣類処理剤を前記衣類処理設備の作業チャンバーにポンプ輸送するためのポンプ輸送装置を更に備えることを特徴とする請求項４９〜５９のいずれか一項に記載の衣類処理剤投入部材。
【請求項６８】
請求項２〜６７のいずれか一項に記載の衣類処理剤投入部材を備えることを特徴とする衣類処理設備。
【請求項６９】
前記衣類処理設備は洗濯機又は一体型洗濯乾燥機であることを特徴とする請求項６８に記載の衣類処理設備。
【発明の詳細な説明】
【技術分野】
【０００１】
本発明は、衣類処理の技術分野に関するもので、具体的には、衣類処理設備用の衣類処理剤投入部材及び衣類処理設備を提供するものである。
【背景技術】
【０００２】
衣類処理設備は、衣類を洗濯、脱水及び/又は乾燥できる機械であり、一般的に、衣類処理設備には、洗濯機、靴洗浄機、乾燥機、一体型洗濯乾燥機などが含まれる。生産技術レベルの向上、及びユーザーニーズの増加に伴い、従来の衣類処理設備の機能性は徐々に強化され、洗濯機を例にすると、洗濯機は本体と洗剤投入部材とを備え、洗剤投入部材により洗濯機の作業チャンバーに洗剤を注入できるが、洗剤投入部材における洗剤ケースは体積が大きいため、ユーザーは洗剤を添加するときに大きな力で洗剤ケースを引き出したり押し込んだりする必要があるため、ユーザーにとって操作が不便であり、ユーザー体験が低下する。
【０００３】
そこで、上記問題を解決するために、本分野では、新規の衣類処理設備用の衣類処理剤投入部材及び対応する衣類処理設備が必要とされている。
【発明の概要】
【０００４】
衣類処理設備は本体を備え、衣類処理剤投入部材は、連通された格納容器と投入装置とを備え、格納容器は、本体に固定設置され衣類処理剤を格納するために使用され、投入装置は、格納容器に対して移動でき、衣類処理剤を投入するために使用されることを特徴とする衣類処理設備用の衣類処理剤投入部材。
【０００５】
本発明の実施例１は、従来の衣類処理設備の衣類処理剤の投入の不便さによりユーザー体験が悪くなるという問題を解決するために、本発明の衣類処理剤投入部材は、投入装置が格納容器に対して移動できると同時に、投入装置における衣類処理剤が格納容器に流れ込むこともできるように、一端が投入装置と連通し、他端が格納容器と連通する套管装置を更に備える。
【０００６】
上述した衣類処理剤投入部材の好ましい技術案では、投入装置は、少なくとも１つの投入チャンバーを備え、套管装置は、投入チャンバーに１つずつ対応する少なくとも１つの套管セットを備え、套管セット毎は、１つの投入チャンバーを格納容器に連通させる。
【０００７】
上述した衣類処理剤投入部材の好ましい技術案では、各套管セットには、第１の端部套管と第２の端部套管とを備え、第１の端部套管は投入チャンバーと連通し、第２の端部套管は格納容器と連通し、第１の端部套管と第２の端部套管は互いに密封してスリーブ接続されている。
【０００８】
上述した衣類処理剤投入部材の好ましい技術案では、套管セットには、第１の端部套管と第２の端部套管との間に設置される少なくとも１つの中間套管を更に備え、中間套管の両端はそれぞれ第１の端部套管及び第２の端部套管と互いに密封してスリーブ接続されている。
【０００９】
上述した衣類処理剤投入部材の好ましい技術案では、衣類処理剤は、洗剤と柔軟剤とを含み、少なくとも１つの投入チャンバーは、洗剤投入チャンバーと柔軟剤投入チャンバーとを備える。
【００１０】
上述した衣類処理剤投入部材の好ましい技術案では、投入チャンバーの底壁は、格納容器の方向に向けて下方に傾斜しており、及び/又は格納容器の底壁は、投入装置から離れる方向に沿って下方に傾斜している。
【００１１】
上述した衣類処理剤投入部材の好ましい技術案では、第１の端部套管は投入チャンバーの後側壁の底部に接続され、第２の端部套管は、格納容器の前側壁の頂部に接続される。
【００１２】
上述した衣類処理剤投入部材の好ましい技術案では、投入装置にはガイドレールが設けられ、本体にはガイドレールに合わせた平行移動機構が設けられ、投入装置は、ガイドレールと平行移動機構との協働により、格納容器に対して後退位置と突出位置との間を平行移動できる。
【００１３】
上述した衣類処理剤投入部材の好ましい技術案では、投入装置は、投入装置が後退位置にある場合、衣類処理設備の操作パネルと面一になるトリム板を更に備える。
【００１４】
上述した衣類処理剤投入部材の好ましい技術案では、衣類処理剤投入部材は、投入装置を突出位置に自動的にイジェクトさせるための自動イジェクト機構を更に備える。
【００１５】
上述した衣類処理剤投入部材の好ましい技術案では、トリム板には、投入装置を突出位置に自動的にイジェクトさせるように、押し付けられると自動イジェクト機構が起動する押しボタンが設置される。
【００１６】
上述した衣類処理剤投入部材の好ましい技術案では、衣類処理剤投入部材は、投入装置又は本体に設けられたロックフックと、本体又は投入装置に対応して設けられたラッチとを含むロック機構を更に備え、投入装置が後退位置にある場合、ロックフックはラッチと係合して投入装置を後退位置にロックする。
【００１７】
上述した衣類処理剤投入部材の好ましい技術案では、自動イジェクト機構は、一端が本体又は格納容器に接続され、他端が投入装置に接続された弾性リセット部材を備え、投入装置が後退位置にある場合、弾性リセット部材は、投入装置を格納容器から離れる方向に向けて付勢する。
【００１８】
上述した衣類処理剤投入部材の好ましい技術案では、衣類処理剤投入部材は、格納容器と連通し、格納容器における衣類処理剤を衣類処理設備の作業チャンバーにポンプ輸送するためのポンプ輸送装置を更に備える。
【００１９】
当業者は、本発明の実施例１の好ましい技術案では、套管装置で投入装置を格納容器と連通させ、投入装置が本体から引き出されると、套管装置は伸ばされ、投入装置と格納容器とは連通状態に維持されることで、投入装置に衣類処理剤を注入するときに、套管装置を通じて該衣類処理剤を格納容器に輸送でき、従来技術における接続ホースを通じて投入装置と格納容器とを連通する技術案に比べて、本発明は、硬性接続材（即ち、套管装置）で投入装置を格納容器と連通させ、投入装置が本体から引き出されたり本体に押し込まれたりするときに接続ホースが折り曲げられて閉塞を引き起こし、衣類処理剤の輸送と注入に影響を与えることが回避されると同時に、套管装置は、伸長及び短縮の過程においても絡まることがなく、本体に対する投入装置の正常な動きを妨げることがないというような設置により、ユーザーにとって操作が便利であり、ユーザー体験が向上されると理解できる。
【００２０】
さらに、套管装置は複数の套管セットからなり、套管セット毎は１つの投入チャンバーを格納容器と連通させることができ、即ち、実際の適用では、異なる投入チャンバー内に異なる衣類処理剤を注入し、そして、対応する套管セットを通じて格納容器に輸送し、最終的に混合することにより、衣類処理設備の正常の洗浄のために準備できる。
【００２１】
さらに、套管セットにおける套管の数と各套管の長さは、実際の適用において衣類処理設備の構造と配置に応じて柔軟に調整できる。具体的には、格納容器に対する投入装置の移動距離が大きい場合、套管の数及び/又は套管の長さを適当に増加でき、格納容器に対する投入装置の移動距離が小さい場合、套管の数及び/又は套管の長さを適当に減少でき、このような設置により、即ち格納容器に対する投入装置の移動距離が大きい場合や小さい場合に、いずれも衣類処理剤の輸送条件を満足でき、投入装置における衣類処理剤を格納容器にスムーズに注入できるように保証する。
【００２２】
さらに、投入チャンバーの底壁と格納容器の底壁はいずれも傾斜して設けられ、即ち、投入チャンバーの底壁と格納容器の底壁はいずれも、本体の外側から内側かつ下方に傾斜している。このような設置により、投入チャンバー内に衣類処理剤を注入した後、衣類処理剤は投入チャンバーの底壁に沿って套管装置に向けて流れるとともに、套管装置における衣類処理剤は格納容器に入る時も、格納容器の底壁で外側から内側に向けて流れることにより、衣類処理剤の流れにより有利で、投入作業がスムーズに進行するように保証する。さらに、套管装置の一端は投入チャンバーの後側壁の底部と連通され、他端は格納容器の前側の頂部と連通され、このような設置により、投入装置内の衣類処理剤は、格納容器に可能な限り流れ込み、且つ格納容器を満たすことができ、格納容器内のスペースが最大限に利用されるように保証する。
【００２３】
さらに、ガイドレールと平行移動機構により、投入装置を後退位置と突出位置との間で平行移動させることができ、即ち、投入装置は本体から引き出されたり本体に押し込まれたりすることができ、ガイドレールと平行移動機構との協働により、投入装置を設定方向に沿って移動させることができ、即ち、投入装置をガイドすることができ、これにより、投入装置を所定の位置に正確に引き出したり押し込んだりすることができるように保証される。さらに、トリム板は、後退位置にある場合、衣類処理設備の操作パネルと面一になるので、衣類処理設備全体の美観性を高めることができる。
【００２４】
さらに、押しボタンにより自動イジェクト機構が起動されることで、ユーザーの投入作業の利便性をさらに向上させることができ、即ち、ユーザーは押しボタンを押すだけで、自動イジェクト機構は投入装置を突出位置にイジェクトすることができるので、ユーザーが衣類処理剤の追加注入を行いやすくなり、このような方式により、ユーザーの投入作業の効率が向上できる。さらに、ロック機構により、投入装置を後退位置にロックできるので、投入装置は本体から脱落することがなく、投入装置の構造安定性を向上させるとともに、トリム板を常に衣類処理設備の操作パネルと面一に保持でき、衣類処理設備全体の美観性が保証される。
【００２５】
さらに、弾性リセット部材により、投入装置が後退位置にある時に投入装置が付勢されるように保証できるので、ユーザーが押しボタンを押すと、投入装置は弾性リセット部材によってスムーズにイジェクトされ、投入作業がスムーズに進行するように保証する。
【００２６】
さらに、ポンプ輸送装置により、格納容器における衣類処理剤を衣類処理設備の作業チャンバーに送り込むことができるので、衣類処理剤の作業チャンバーへの自動投入が完了され、衣類処理設備の洗浄プログラムの正常な作動が保証され、衣類を迅速且つ清潔に洗浄できる。
【００２７】
本発明の実施例２は、従来の衣類処理設備の衣類処理剤の投入不便によるユーザー体験が悪いという問題を解決するために、本発明の衣類処理剤投入部材は、投入装置を格納容器と連通させるとともに、投入装置を格納容器に対して移動可能なように設置される連通装置を更に備える。
【００２８】
上述した衣類処理剤投入部材の好ましい技術案では、連通装置は、一部が投入装置に設けられ、その他の一部が格納容器に設けられる挿着装置の形態で設置されることにより、投入装置が格納容器に対して突出位置に移動すると、挿着装置は投入装置を格納容器と連通させ、投入装置における衣類処理剤を格納容器に流し込むことができる。
【００２９】
上述した衣類処理剤投入部材の好ましい技術案では、投入装置は、少なくとも１つの投入チャンバーを備え、挿着装置は、投入チャンバーに１つずつ対応する少なくとも１つの挿着部材を備え、挿着部材毎は、１つの投入チャンバーを格納容器に連通させる。
【００３０】
上述した衣類処理剤投入部材の好ましい技術案では、挿着部材毎は、投入チャンバーと連通し且つ衣類処理剤出口を含む第１の流路部材と、格納容器と連通し且つ衣類処理剤入口を含む第２の流路部材と、を備え、投入装置が格納容器に対して突出位置に移動すると、衣類処理剤出口と衣類処理剤入口は嵌合して密封される。
【００３１】
上述した衣類処理剤投入部材の好ましい技術案では、第１の流路部材には、衣類処理剤出口を形成する挿管が設けられ、第２の流路部材には、衣類処理剤入口を形成する挿入孔が設けられ、投入装置が格納容器に対して突出位置に移動すると、挿管と挿入孔は係合して密封される。
【００３２】
上述した衣類処理剤投入部材の好ましい技術案では、第１の流路部材には、衣類処理剤出口を形成する挿入孔が設けられ、第２の流路部材には、衣類処理剤入口を形成する挿管が設けられ、投入装置が格納容器に対して突出位置に移動すると、挿入孔と挿管は係合して密封される。
【００３３】
上述した衣類処理剤投入部材の好ましい技術案では、挿管には、通常の状態で衣類処理剤出口に貼り合わされることで衣類処理剤出口を閉鎖する第１のバルブプレートが設置され、挿入孔には、通常の状態で衣類処理剤入口に貼り合わされることで衣類処理剤入口を閉鎖する第２のバルブプレートが設置される。第２のバルブプレートには、更に外に延びる支柱が設けられ、挿管と挿入孔が係合すると、挿管は第２のバルブプレートを押して衣類処理剤入口を開くと同時に、支柱は第１のバルブプレートを押して衣類処理剤出口を開く。
【００３４】
上述した衣類処理剤投入部材の好ましい技術案では、第１の流路部材は、投入チャンバーから下方に延びる本体部分を備え、挿管は、本体部分から外側に水平に延び、第２の流路部材は、格納容器から外側に水平に延びる本体区間と、本体区間から上方に延びる鉛直区間とを備え、鉛直区間の内側に挿入孔が形成されている。
【００３５】
上述した衣類処理剤投入部材の好ましい技術案では、第２の流路部材の本体区間の底壁は、投入装置から離れる方向に沿って下方に傾斜している。
【００３６】
上述した衣類処理剤投入部材の好ましい技術案では、投入チャンバーの底壁は、格納容器の方向に向けて下方に傾斜しており、及び/又は格納容器の底壁は、投入装置から離れる方向に沿って下方に傾斜している。
【００３７】
上述した衣類処理剤投入部材の好ましい技術案では、衣類処理剤は、洗剤と柔軟剤とを含み、少なくとも１つの投入チャンバーは、洗剤投入チャンバーと柔軟剤投入チャンバーとを備える。
【００３８】
上述した衣類処理剤投入部材の好ましい技術案では、投入装置にはガイドレールが設けられ、本体にはガイドレールに応じる平行移動機構が設けられ、投入装置は、ガイドレールと平行移動機構との協働により、格納容器に対して後退位置と突出位置との間を平行移動できる。
【００３９】
上述した衣類処理剤投入部材の好ましい技術案では、投入装置は、投入装置が後退位置にある場合、衣類処理設備の操作パネルと面一になるトリム板を更に備える。
【００４０】
上述した衣類処理剤投入部材の好ましい技術案では、衣類処理剤投入部材は、投入装置を突出位置に自動的にイジェクトさせるための自動イジェクト機構を更に備える。
【００４１】
上述した衣類処理剤投入部材の好ましい技術案では、トリム板には、投入装置を突出位置に自動的にイジェクトさせるように、押し付けられると自動イジェクト機構が起動する押しボタンが設置される。
【００４２】
上述した衣類処理剤投入部材の好ましい技術案では、衣類処理剤投入部材は、投入装置又は本体に設けられたロックフックと、本体又は投入装置に対応して設けられたラッチとを含むロック機構を更に備え、投入装置が後退位置にある場合、ロックフックはラッチと係合して投入装置を後退位置にロックする。
【００４３】
上述した衣類処理剤投入部材の好ましい技術案では、自動イジェクト機構は、一端が本体又は格納容器に接続され、他端が投入装置に接続された弾性リセット部材を備え、投入装置が後退位置にある場合、弾性リセット部材は、投入装置を格納容器から離れる方向に向けて付勢する。
【００４４】
上述した衣類処理剤投入部材の好ましい技術案では、衣類処理剤投入部材は、格納容器と連通し、格納容器における衣類処理剤を衣類処理設備の作業チャンバーにポンプ輸送するためのポンプ輸送装置を更に備える。
【００４５】
当業者は、本発明の実施例２の好ましい技術案では、衣類処理剤投入部材は投入装置と格納容器とを備え、挿着装置は、投入装置が格納容器に対して突出位置に移動する時に投入装置を格納容器と連通させることができ、これにより、投入装置に衣類処理剤を注入するときに、挿着装置を通じて該衣類処理剤を格納容器に輸送でき、従来技術に比べて、本発明は、衣類処理剤投入部材を分離して設置することで、ユーザーにとって操作が不便という問題を解決し、また、投入装置が格納容器に対して突出位置に移動していない場合、投入装置と格納容器は連通されず、即ち、投入装置と格納容器との間に他の接続部材がないので、投入装置が移動中に何にも妨げられないように保証し、投入装置が格納容器に対して突出位置に移動する場合にのみ、投入装置と格納容器は連通されるので、投入作業がスムーズに進行することが保証されるというような設置により、ユーザーにとって操作が便利であり、ユーザー体験が向上されると理解できる。
【００４６】
さらに、挿着部材毎は１つの投入チャンバーを格納容器と連通させることができ、即ち、実際の適用では、異なる投入チャンバー内に異なる衣類処理剤を注入し、そして、対応する挿着部材を通じて格納容器に輸送し、最終的に混合することにより、衣類処理設備の正常の洗浄のために準備できる。
【００４７】
さらに、第１の流路部材と第２の流路部材により、投入装置が突出位置に移動する際に投入装置と格納容器とを密封して嵌合できるので、投入装置における衣類処理剤は格納容器に入ることができるように保証するとともに、第１の流路部材と第２の流路部材の接続先から漏れることなく、その密封性が保証される。さらに、挿管と挿入孔の協働により、その密封と嵌合の効果をさらに高めることができ、具体的には、第１の流路部材と第２の流路部材が係合すると、挿管が挿入孔内に挿入され、挿管と挿入孔との間に密封区間が形成され、第１の流路部材と第２の流路部材の密封効果が向上される。
【００４８】
さらに、第１のバルブプレートにより、通常の状態で（即ち、投入装置が突出位置に移動していない時）衣類処理剤出口を密封できるので、投入装置内の衣類処理剤が漏れないように保証すると同時に、第２のバルブプレートにより、通常の状態で衣類処理剤入口を密封できるので、格納容器における衣類処理剤も漏れないように保証する。挿管と挿入孔が係合すると、挿管は第２のバルブプレートを押して衣類処理剤入口を開くと同時に、支柱は第１のバルブプレートを押して衣類処理剤出口を開き、これにより、衣類処理剤出口と衣類処理剤入口は連通され、さらに第１の流路部材と第２の流路部材は連通されるので、投入装置における衣類処理剤は順次第１の流路部材と第２の流路部材に沿って格納容器に入ることができ、衣類処理剤の輸送と投入が実現される。さらに、第１の流路部材はまず下方に延びてから水平に延び、第２の流路部材はまず水平に延びてから下方に延び、最後に水平に延びており、即ち、第１の流路部材と第２の流路部材は上から下の略「S」字状の流れ通路を形成しているので、衣類処理剤が流れやすくなり、投入装置における衣類処理剤が格納容器にスムーズに入ることができるように保証する。
【００４９】
さらに、第２の流路部材の本体区間の底壁は、投入装置から離れる方向に沿って下方に傾斜しているので、衣類処理剤を投入装置から第１の流路部材及び第２の流路部材を介して格納容器にできるだけ迅速に流し込むことができ、衣類処理剤の迅速な注入が実現される。
【００５０】
さらに、投入チャンバーの底壁と格納容器の底壁はいずれも傾斜して設けられ、即ち、投入チャンバーの底壁と格納容器の底壁はいずれも、本体の外側から内側に下方に傾斜している。このような設置により、投入チャンバー内に衣類処理剤を注入した後、衣類処理剤は投入チャンバーの底壁に沿って挿着装置に向けて流れるとともに、挿着装置における衣類処理剤は格納容器に入る時も、格納容器の底壁で外側から内側に向けて流れることにより、衣類処理剤の流れにより有利で、投入作業がスムーズに進行するように保証する。
【００５１】
さらに、ガイドレールと平行移動機構により、投入装置を後退位置と突出位置との間で平行移動させることができ、即ち、投入装置は本体から引き出されたり本体に押し込まれたりすることができ、ガイドレールと平行移動機構との協働により、投入装置を設定方向に沿って移動させることができ、即ち、投入装置をガイドすることができ、これにより、投入装置を所定の位置に正確に引き出したり押し込んだりすることができるように保証される。さらに、トリム板は、後退位置にある場合、衣類処理設備の操作パネルと面一になるので、衣類処理設備全体の美観性を高めることができる。
【００５２】
さらに、押しボタンにより自動イジェクト機構が起動されることで、ユーザーの投入作業の利便性をさらに向上させることができ、即ち、ユーザーは押しボタンを押すだけで、自動イジェクト機構は投入装置を突出位置にイジェクトすることができるので、ユーザーが衣類処理剤の投入作業を行いやすくなり、このような方式により、ユーザーの投入作業の効率が向上できる。さらに、ロック機構により、投入装置を後退位置にロックできるので、投入装置は本体から脱落することがなく、投入装置の構造安定性を向上させるとともに、トリム板を常に衣類処理設備の操作パネルと面一に保持でき、衣類処理設備全体の美観性が保証される。
【００５３】
さらに、弾性リセット部材により、投入装置が後退位置にある時に投入装置が付勢されるように保証できるので、ユーザーが押しボタンを押すと、投入装置は弾性リセット部材によってスムーズにイジェクトされ、投入作業がスムーズに進行するように保証する。
【００５４】
さらに、ポンプ輸送装置により、格納容器における衣類処理剤を衣類処理設備の作業チャンバーに送り込むことができるので、衣類処理剤の作業チャンバーへの自動投入が完了され、衣類処理設備の洗浄プログラムの正常な作動が保証され、衣類を迅速且つ清潔に洗浄できる。
【００５５】
本発明の実施例３は、従来の衣類処理設備の衣類処理剤の投入不便によるユーザー体験が悪いという問題を解決するために、本発明の衣類処理剤投入部材は、枢動機構を備え、投入装置は枢動機構によって本体に対して枢動し、且つ枢動機構には、投入装置を格納容器と連通させる流れ通路が設けられている。
【００５６】
上述した衣類処理剤投入部材の好ましい技術案では、枢動機構は、軸座と、軸座に枢動可能なように挿入された枢軸と、を備え、流れ通路は、軸座に設けられた第１の流れ通路と、枢軸に設けられた第２の流れ通路と、を備え、第１の流れ通路は格納容器と連通し、第２の流れ通路は第１の流れ通路及び投入装置と連通する。
【００５７】
上述した衣類処理剤投入部材の好ましい技術案では、投入装置は、少なくとも１つの投入チャンバーを備え、枢軸には、投入チャンバーに１つずつ対応する少なくとも１つの衣類処理剤入口が設けられ、衣類処理剤入口毎は、１つの投入チャンバーを第２の流れ通路に連通させる。
【００５８】
上述した衣類処理剤投入部材の好ましい技術案では、軸座両端の内壁又は枢軸両端の外壁には、シールリングが設けられた密封溝が設置されている。
【００５９】
上述した衣類処理剤投入部材の好ましい技術案では、衣類処理剤投入部材は、軸座と格納容器との間に設けられ、第１の流れ通路を格納容器に連通させるための連通部材を更に備える。
【００６０】
上述した衣類処理剤投入部材の好ましい技術案では、連通部材の底壁は、投入装置から離れる方向に沿って下方に傾斜している。
【００６１】
上述した衣類処理剤投入部材の好ましい技術案では、投入チャンバーの底壁は、格納容器の方向に向けて下方に傾斜しており、及び/又は格納容器の底壁は、投入装置から離れる方向に沿って下方に傾斜している。
【００６２】
上述した衣類処理剤投入部材の好ましい技術案では、衣類処理剤は、洗剤と柔軟剤とを含み、少なくとも１つの投入チャンバーは、洗剤投入チャンバーと柔軟剤投入チャンバーとを備える。
【００６３】
上述した衣類処理剤投入部材の好ましい技術案では、衣類処理剤投入部材は、投入装置を突出位置に自動的にイジェクトさせるための自動イジェクト機構を更に備える。
【００６４】
上述した衣類処理剤投入部材の好ましい技術案では、投入装置は、投入装置が閉位置に枢動する場合、衣類処理設備の操作パネルと面一になるトリム板を更に備える。
【００６５】
上述した衣類処理剤投入部材の好ましい技術案では、トリム板には、投入装置を突出位置に自動的にイジェクトさせるように、押し付けられると自動イジェクト機構が起動する押しボタンが設置される。
【００６６】
上述した衣類処理剤投入部材の好ましい技術案では、衣類処理剤投入部材は、投入装置又は本体に設けられたロックフックと、本体又は投入装置に対応して設けられたラッチとを含むロック機構を更に備え、投入装置が閉位置に枢動する場合、ロックフックはラッチと係合して投入装置を閉位置にロックする。
【００６７】
上述した衣類処理剤投入部材の好ましい技術案では、自動イジェクト機構は、一端が本体に接続され、他端が投入装置に接続された弾性リセット部材を備え、投入装置が閉位置にある場合、弾性リセット部材は、投入装置に開放位置に向けて枢動する付勢力を加える。
【００６８】
上述した衣類処理剤投入部材の好ましい技術案では、弾性リセット部材はねじりばねである。
【００６９】
上述した衣類処理剤投入部材の好ましい技術案では、衣類処理剤投入部材は、格納容器と連通し、格納容器における衣類処理剤を衣類処理設備の作業チャンバーにポンプ輸送するためのポンプ輸送装置を更に備える。
【００７０】
当業者は、本発明の実施例３の好ましい技術案では、枢動機構は投入装置を突出位置に枢動できるので、投入装置に衣類処理剤を注入するときに、枢動機構における流れ通路を介して該衣類処理剤を格納容器に輸送でき、従来技術における接続ホースを通じて投入装置と格納容器とを連通する技術案に比べて、本発明の枢動機構は硬性接続部材であり、該枢動機構内の流れ通路を通じて投入装置を格納容器と連通させることにより、投入装置が枢動する際に閉塞現象が発生し衣類処理剤の輸送と注入に影響を与えることを回避できるとともに、絡まる現象が発生することもなく、即ち本体に対する投入装置の正常な動きを妨げることがないというような設置により、ユーザーにとって操作が便利であり、ユーザー体験が向上されると理解できる。
【００７１】
さらに、第１の流れ通路と第２の流れ通路により、投入装置内の衣類処理剤を格納容器に輸送でき、即ち、投入装置が突出位置に引き出されると、ユーザーは衣類処理剤を投入装置に投入し、投入装置における衣類処理剤は順次に、枢軸における第２の流れ通路と枢軸における第１の流れ通路に通過して格納容器に入り、衣類処理剤の輸送と投入が実現される。
【００７２】
さらに、枢軸毎における衣類処理剤入口は１つの投入チャンバーを第２の流れ通路に連通させ、即ち、実際の適用では、異なる投入チャンバー内に異なる衣類処理剤を注入し、そして、対応する衣類処理剤入口を通じて第２の流れ通路に注入してから、第２の流れ通路と第１の流れ通路を通じて格納容器に入り、最終的に混合することにより、衣類処理設備の正常の洗浄のために準備できる。
【００７３】
さらに、枢軸と軸座との間のシールリングで枢軸と軸座を密封できるので、枢軸と軸座の隙間から衣類処理剤が漏れないようにその密封性が保証されるとともに、枢軸が軸座に対してスムーズに枢動するように保証するために、シールリングを軸座及び/又は枢軸の密封溝に設置できるので、シールリングを枢軸が軸座に対して枢動する際に、密封溝に安定して設置でき、密封効果を保証しつつ、枢軸のスムーズな枢動に影響を与えることがない。
【００７４】
さらに、連通部材により第１の流れ通路を格納容器に連通させることができるので、投入装置における衣類処理剤が格納容器にスムーズに入ることができる。さらに、連通部材の底壁は、投入装置から離れる方向に沿って下方に傾斜しているので、投入装置から連通部材に流入した衣類処理剤を、連通部材の底壁に沿ってよりスムーズに格納容器に流れ込むことができる。
【００７５】
さらに、投入チャンバーの底壁と格納容器の底壁はいずれも傾斜して設けられ、即ち、投入チャンバーの底壁と格納容器の底壁はいずれも、本体の外側から内側に下方に傾斜している。このような設置により、投入チャンバー内に衣類処理剤を注入した後、衣類処理剤は投入チャンバーの底壁に沿って枢動機構に向けて流れるとともに、枢動機構における衣類処理剤は格納容器に入る時も、格納容器の底壁で外側から内側に向けて流れることにより、衣類処理剤の流れにより有利で、投入作業がスムーズに進行するように保証する。
【００７６】
さらに、押しボタンにより自動イジェクト機構が起動されることで、ユーザーの投入作業の利便性をさらに向上させることができ、即ち、ユーザーは押しボタンを押すだけで、自動イジェクト機構は投入装置を突出位置にイジェクトすることができるので、ユーザーが衣類処理剤の投入作業を行いやすくなり、このような方式により、ユーザーの投入作業の効率が向上できる。さらに、ロック機構により、投入装置を閉位置にロックできるので、投入装置は本体から脱落することがなく、投入装置の構造安定性を向上させるとともに、トリム板を常に衣類処理設備の操作パネルと面一に保持でき、衣類処理設備全体の美観性が保証される。
【００７７】
さらに、弾性リセット部材により、投入装置が閉位置にある時に投入装置が付勢されるように保証できるので、ユーザーが押しボタンを押すと、投入装置は弾性リセット部材によってスムーズにイジェクトされ、投入作業がスムーズに進行するように保証する。
【００７８】
さらに、ポンプ輸送装置により、格納容器における衣類処理剤を衣類処理設備の作業チャンバーに送り込むことができるので、衣類処理剤の作業チャンバーへの自動投入が完了され、衣類処理設備の洗浄プログラムの正常な作動が保証され、衣類を迅速且つ清潔に洗浄できる。
【００７９】
本発明の実施例４は、従来の衣類処理設備の衣類処理剤の投入不便によるユーザー体験が悪いという問題を解決するために、本発明の衣類処理剤投入部材は、縦向き枢動機構を備え、投入装置は縦向き枢動機構によって本体に対して縦向き軸線に沿って枢動し、且つ縦向き枢動機構には、投入装置を格納容器と連通させる流れ通路が設けられている。
【００８０】
上述した衣類処理剤投入部材の好ましい技術案では、縦向き枢動機構は、軸座と、軸座に枢動可能で挿入された枢軸と、を備え、流れ通路は、枢軸に設けられる。
【００８１】
上述した衣類処理剤投入部材の好ましい技術案では、投入装置は、少なくとも１つの投入チャンバーを備え、枢軸には、投入チャンバーに１つずつ対応する少なくとも１つの導流管が設けられ、導流管毎は、１つの投入チャンバーを格納容器に連通させる。
【００８２】
上述した衣類処理剤投入部材の好ましい技術案では、軸座の内壁又は枢軸の外壁には、シールリングが設けられた密封溝が設置されている。
【００８３】
上述した衣類処理剤投入部材の好ましい技術案では、衣類処理剤投入部材は、軸座と格納容器との間に設けられ、且つ導流管と１つずつ対応する少なくとも１つの導流通路を含む連通部材を更に備え、導流通路毎は１つの導流管を格納容器に連通させるために使用される。
【００８４】
上述した衣類処理剤投入部材の好ましい技術案では、衣類処理剤は、洗剤と柔軟剤とを含み、少なくとも１つの投入チャンバーは、洗剤投入チャンバーと柔軟剤投入チャンバーとを備える。
【００８５】
上述した衣類処理剤投入部材の好ましい技術案では、導流管は第１の導流管と第２の導流管とを備える。
【００８６】
上述した衣類処理剤投入部材の好ましい技術案では、導流通路は、第２の導流管と連通する底層導流通路と、第１の導流管と連通する頂層導流通路と、を備える。
【００８７】
上述した衣類処理剤投入部材の好ましい技術案では、枢軸の回転軸線は、第２の導流管の回転軸線と互いに重なり合う。
【００８８】
上述した衣類処理剤投入部材の好ましい技術案では、導流通路の底壁は、投入装置から離れる方向に沿って下方に傾斜している。
【００８９】
上述した衣類処理剤投入部材の好ましい技術案では、投入チャンバーの底壁は、格納容器の方向に向けて下方に傾斜しており、及び/又は格納容器の底壁は、投入装置から離れる方向に沿って下方に傾斜している。
【００９０】
上述した衣類処理剤投入部材の好ましい技術案では、投入装置の内側は、本体から外側に枢動するように弧状に設置される。
【００９１】
上述した衣類処理剤投入部材の好ましい技術案では、衣類処理剤投入部材は、投入装置を突出位置に自動的にイジェクトさせるための自動イジェクト機構を更に備える。
【００９２】
上述した衣類処理剤投入部材の好ましい技術案では、投入装置は、投入装置が閉位置に枢動する場合、衣類処理設備の操作パネルと面一になるトリム板を更に備える。
【００９３】
上述した衣類処理剤投入部材の好ましい技術案では、トリム板には、投入装置を開放位置に自動的にイジェクトさせるように、押し付けられると自動イジェクト機構が起動する押しボタンが設置される。
【００９４】
上述した衣類処理剤投入部材の好ましい技術案では、衣類処理剤投入部材は、投入装置又は本体に設けられたロックフックと、本体又は投入装置に対応して設けられたラッチとを含むロック機構を更に備え、投入装置が閉位置に枢動する場合、ロックフックはラッチと係合して投入装置を閉位置にロックする。
【００９５】
上述した衣類処理剤投入部材の好ましい技術案では、自動イジェクト機構は、一端が本体に接続され、他端が投入装置に接続された弾性リセット部材を備え、投入装置が閉位置にある場合、弾性リセット部材は、投入装置に開放位置に向けて枢動する付勢力を加える。
【００９６】
上述した衣類処理剤投入部材の好ましい技術案では、弾性リセット部材はねじりばねである。
【００９７】
上述した衣類処理剤投入部材の好ましい技術案では、衣類処理剤投入部材は、格納容器と連通し、格納容器における衣類処理剤を衣類処理設備の作業チャンバーにポンプ輸送するためのポンプ輸送装置を更に備える。
【００９８】
当業者は、本発明の実施例４の好ましい技術案では、縦向き枢動機構は投入装置を突出位置に枢動できるので、投入装置に衣類処理剤を注入するときに、縦向き枢動機構における流れ通路を介して該衣類処理剤を格納容器に輸送でき、従来技術における接続ホースを通じて投入装置と格納容器とを連通する技術案に比べて、本発明の縦向き枢動機構は硬性接続部材であり、該縦向き枢動機構内の流れ通路を通じて投入装置を格納容器と連通させることにより、投入装置が枢動する際に閉塞現象が発生し衣類処理剤の輸送と注入に影響を与えることを回避できるとともに、絡まる現象が発生することもなく、即ち本体に対する投入装置の正常な動きを妨げることがないというような設置により、ユーザーにとって操作が便利であり、ユーザー体験が向上されると理解できる。
【００９９】
さらに、各枢軸における導流管は１つの投入チャンバーを格納容器と連通させ、即ち、実際の適用では、異なる投入チャンバー内に異なる衣類処理剤を注入し、そして、対応する導流管を通じて格納容器に注入し、最終的に混合することにより、衣類処理設備の正常の洗浄のために準備できる。
【０１００】
さらに、枢軸と軸座との間のシールリングで枢軸と軸座とを密封できるので、枢軸と軸座の隙間から衣類処理剤が漏れないようにその密封性が保証されるとともに、枢軸が軸座に対してスムーズに枢動するように保証するために、シールリングを軸座及び/又は枢軸の密封溝に設置できるので、シールリングを枢軸が軸座に対して枢動する際に、密封溝に安定して設置でき、密封効果を保証しつつ、枢軸のスムーズな枢動に影響を与えることがない。
【０１０１】
さらに、連通部材により導流管を格納容器と連通させることができるので、投入装置における衣類処理剤が格納容器にスムーズに入ることができる。具体的には、導流管は、第１の導流管と第２の導流管とを備え、導流通路は、第２の導流管と連通する底層導流通路と、第１の導流管と連通する頂層導流通路と、を備える。実際の適用では、第１の導流管を洗剤投入チャンバーと連通させ、第２の導流管を柔軟剤投入チャンバーと連通させることで、洗剤投入チャンバーにおける洗剤は第１の導流管を介して頂層導流通路内に入ることができ、且つ柔軟剤投入チャンバーにおける柔軟剤は第２の導流管を介して底層導流通路内に入ることができる。このような設置により、洗剤と柔軟剤はそれぞれ異なる層の導流通路を介して格納容器に入り、最終的に格納容器で混合され、衣類処理設備の正常の洗浄のために準備できる。
【０１０２】
さらに、枢軸の回転軸線は、第２の導流管の回転軸線と互いに重なり合うというような設置により、投入装置を本体に対して縦向き枢動させることができるので、ユーザーが洗剤や柔軟剤の投入作業を行いやすくなり、枢軸が縦向き枢動する過程において、第２の導流管は自分の軸線に沿って回動するとともに、底層導流通路との連通を維持し、第１の導流管は第２の導流管に対して振子回動する（即ち、第１の導流管は、第２の導流管の軸線を回動軸線とし、且つ第１の導流管の軸線と第２の導流管の軸線との間の距離を半径として回動する）とともに、第１の導流管が振子回動すると同時に、常に頂層導流通路との連通を維持し、これにより、投入装置が本体に対して縦向き枢動するときに、洗剤投入チャンバーと柔軟剤投入チャンバーは常に格納容器との連通を維持でき、ユーザーが投入作業を行いやすくなる。
【０１０３】
さらに、導流通路の底壁は、投入装置から離れる方向に沿って下方に傾斜しているので、投入装置から導流通路に流入した衣類処理剤を、導流通路の底壁に沿ってよりスムーズに格納容器に流れ込むことができる。
【０１０４】
さらに、投入チャンバーの底壁と格納容器の底壁はいずれも傾斜して設けられ、即ち、投入チャンバーの底壁と格納容器の底壁はいずれも、本体の外側から内側に下方に傾斜している。このような設置により、投入チャンバー内に衣類処理剤を注入した後、衣類処理剤は投入チャンバーの底壁に沿って縦向き枢動機構に向けて流れるとともに、縦向き枢動機構における衣類処理剤は格納容器に入る時も、格納容器の底壁で外側から内側に向けて流れることにより、衣類処理剤の流れにより有利で、投入作業がスムーズに進行するように保証する。
【０１０５】
さらに、投入装置の内側は、本体から外側に枢動するように弧状に設置され、このような設置により、投入装置が枢動時にそれと干渉する本体構造を十分に回避できるため、投入装置の枢動作業が何にも妨げられないように保証し、投入装置の枢動作業がスムーズに進行するように保証する。
【０１０６】
さらに、押しボタンにより自動イジェクト機構が起動されることで、ユーザーの投入作業の利便性をさらに向上させることができ、即ち、ユーザーは押しボタンを押すだけで、自動イジェクト機構は投入装置を突出位置にイジェクトすることができるので、ユーザーが衣類処理剤の投入作業を行いやすくなり、このような方式により、ユーザーの投入作業の効率が向上できる。さらに、ロック機構により、投入装置を閉位置にロックできるので、投入装置は本体から脱落することがなく、投入装置の構造安定性を向上させるとともに、トリム板を常に衣類処理設備の操作パネルと面一に保持でき、衣類処理設備全体の美観性が保証される。
【０１０７】
さらに、弾性リセット部材により、投入装置が閉位置にある時に投入装置が付勢されるように保証できるので、ユーザーが押しボタンを押すと、投入装置は弾性リセット部材によってスムーズにイジェクトされ、投入作業がスムーズに進行するように保証する。
【０１０８】
さらに、ポンプ輸送装置により、格納容器における衣類処理剤を衣類処理設備の作業チャンバーに送り込むことができるので、衣類処理剤の作業チャンバーへの自動投入が完了され、衣類処理設備の洗浄プログラムの正常な作動が保証され、衣類を迅速且つ清潔に洗浄できる。
【０１０９】
一方、本発明は、さらに上述した衣類処理剤投入部材を備える衣類処理設備が提供される。
【０１１０】
上述した衣類処理設備の好ましい技術案では、衣類処理設備は洗濯機又は一体型洗濯乾燥機である。
【０１１１】
本発明は、上述した技術案に基づいて更に提供される衣類処理設備は、上述の衣類処理剤投入部材を採用しているので、上述の衣類処理剤投入部材が備える技術効果を有し、且つ改良前の衣類処理設備と比較すると、本発明の衣類処理設備は、全体的な外観がより美しいだけでなく、ユーザーが衣類処理剤を投入する際により便利になり、ユーザー体験を向上させることができる。
【図面の簡単な説明】
【０１１２】
以下、本発明の好ましい実施形態を、図面を参照しながら、洗濯機と合わせて説明する。
【図１】本発明の衣類処理剤投入部材の実施例１の構造概略図１である。
【図２】本発明の衣類処理剤投入部材の実施例１の構造概略図２である。
【図３】本発明の衣類処理剤投入部材の実施例１の構造概略図３である。
【図４】本発明の衣類処理剤投入部材の実施例１の構造概略図４である。
【図５】本発明の衣類処理剤投入部材の実施例１の構造概略図５である。
【図６】本発明の洗濯機の実施例１の構造概略図である。
【図７】本発明の衣類処理剤投入部材の実施例２の構造概略図１である。
【図８】本発明の衣類処理剤投入部材の実施例２の構造概略図２である。
【図９】本発明の衣類処理剤投入部材の実施例２の構造概略図３である。
【図１０】本発明の衣類処理剤投入部材の実施例２の構造概略図４である。
【図１１】本発明の衣類処理剤投入部材の実施例２の構造概略図５である。
【図１２】本発明の衣類処理剤投入部材の実施例２の構造概略図６である。
【図１３】図１２の部分拡大図である。
【図１４】本発明の洗濯機の実施例２の構造概略図である。
【図１５】本発明の衣類処理剤投入部材の実施例３の構造概略図１である。
【図１６】本発明の衣類処理剤投入部材の実施例３の構造概略図２である。
【図１７】本発明の衣類処理剤投入部材の実施例３の構造概略図３である。
【図１８】本発明の衣類処理剤投入部材の実施例３の構造概略図４である。
【図１９】本発明の衣類処理剤投入部材の実施例３の構造概略図５である。
【図２０】本発明の衣類処理剤投入部材の実施例３の構造概略図６である。
【図２１】図１５のＡ−Ａ線の断面図である。
【図２２】図１６のＢ−Ｂ線の断面図である。
【図２３】図１６のＣ−Ｃ線の断面図である。
【図２４】本発明の衣類処理剤投入部材の実施例３の構造概略図７である。
【図２５】本発明の衣類処理剤投入部材の実施例３の構造概略図８である。
【図２６】本発明の洗濯機の実施例３の構造概略図である。
【図２７】本発明の衣類処理剤投入部材の実施例４の構造概略図１である。
【図２８】本発明の衣類処理剤投入部材の実施例４の構造概略図２である。
【図２９】本発明の衣類処理剤投入部材の実施例４の構造概略図３である。
【図３０】図２７のＡ−Ａ線の断面図である。
【図３１】本発明の衣類処理剤投入部材の実施例４の構造概略図４である。
【図３２】本発明の衣類処理剤投入部材の実施例４の構造概略図５である。
【図３３】本発明の衣類処理剤投入部材の実施例４の構造概略図６である。
【図３４】本発明の衣類処理剤投入部材の実施例４の構造概略図７である。
【図３５】本発明の洗濯機の実施例４の構造概略図である。
【発明を実施するための形態】
【０１１３】
まず、当業者は、これらの実施形態が本発明の技術的原理を説明するためだけに使用され、本発明の保護範囲を制限するものではないと理解すべきである。例えば、以下の実施形態は洗濯機と合わせて説明されているが、これを制限するものではなく、本発明の技術案は、靴洗浄機、脱水機や一体型洗濯乾燥機など、その他の衣類処理装置にも同様に適用され、このような適用対象の変更は本発明の原理と範囲から逸脱していない。
【０１１４】
なお、本発明の説明において、用語「中」、「上」、「下」、「前」、「後」、「水平」、「内」、「外」などが示す方向又は位置関係は、図面に示される方向又は位置関係に基づいており、これは説明の便宜上のものであり、前記装置又は素子が特定の方向を有し、特定の方向で構築や操作する必要があることを示したり暗示したりするものではないため、本発明に対する制限としては理解できない。また、用語「第１」、「第２」は目的を説明するだけに使用され、相対的な重要性を示したり暗示したりするものとは理解できない。
【０１１５】
また、本発明の説明において、特に明確な規定や限定がない限り、用語「装着」、「連通」、「接続」は広義的に理解されるべきであり、例えば、固定接続であっても良いし、取り外し可能な接続であっても良いし、一体的に接続しても良い。機械的な接続であっても良いし、電気的な接続であっても良い。直接に接続しても良いし、中間媒体を介して間接に接続しても良いし、２つの素子の内部における連通であってもよい。当業者にとって、具体的な状況に応じて上述の用語が本発明における具体的な意味を理解できる。
【０１１６】
背景技術に指摘されている従来の洗濯機の衣類処理剤の投入の不便さによりユーザー体験が悪くなるという問題に基づいて、本発明は、洗濯機用の衣類処理剤投入部材及び洗濯機が提供され、ユーザーが衣類処理剤を投入する際により便利となり、ユーザー体験を向上させることを目的とする。
【０１１７】
具体的には、本発明の洗濯機は本体を備え、衣類処理剤投入部材は、連通された格納容器と投入装置とを備え、格納容器は、本体に固定設置され衣類処理剤を格納するために使用され、投入装置は、格納容器に対して移動でき、衣類処理剤を投入するために使用される。
【０１１８】
実施例１
本発明の衣類処理剤投入部材は、投入装置が格納容器に対して移動できると同時に、投入装置における衣類処理剤が格納容器に流れ込むこともできるように、一端が投入装置と連通し、他端が格納容器と連通する套管装置を更に備える。その中、投入装置は投入ケース、投入板又は投入ラックなどであってもよく、当業者は実際の適用において、投入装置の具体的な構造を柔軟に設置でき、該投入装置を通じて衣類処理剤を套管装置により格納容器に投入できればよい。また、衣類処理剤は、洗剤と柔軟剤などを含み、当業者は実際の適用において、衣類処理剤の種類及び具体的なタイプを柔軟に設置でき、該衣類処理剤を通じて衣類の洗浄を実現できればよい。
【０１１９】
好ましくは、図１から図５に示すように、投入装置１は、少なくとも１つの投入チャンバーを備え、套管装置は、投入チャンバーに１つずつ対応する少なくとも１つの套管セット２を備え、各套管セット２は、１つの投入チャンバーを格納容器３に連通させる。その中、投入チャンバーの数は１つでもよく、複数でもよく、当業者は実際の適用において、投入チャンバーの具体的な数を柔軟に設置でき、投入チャンバーを通じて衣類処理剤を格納容器３に投入できればよい。１つの可能な状況において、投入チャンバーの数は１つであり、即ち、投入チャンバーによってまず洗剤をこの投入チャンバーに投入し、その後この投入チャンバーと連通された套管セット２を介して洗剤を格納容器３に輸送して格納できる。もう１つの可能な状況において、図１から図５に示すように、投入チャンバーの数は２つであり、それぞれ洗剤投入チャンバー１１と柔軟剤投入チャンバー１２であり、その中、洗剤投入チャンバー１１には洗剤投入口を有し、柔軟剤投入チャンバー１２には柔軟剤投入口を有し、洗剤投入チャンバー１１によって、洗剤をこの洗剤投入チャンバー１１と連通された套管セット２を介して格納容器３に輸送でき、柔軟剤投入チャンバー１２によって、柔軟剤をこの柔軟剤投入チャンバー１２と連通された套管セット２を介して格納容器３に輸送でき、即ち、まず洗剤と柔軟剤をそれぞれ投入してから、格納チャンバー内で混合格納することで、洗濯機が衣類の洗浄のために準備する。
【０１２０】
好ましくは、各套管セット２には、第１の端部套管２１と第２の端部套管２２とを備え、第１の端部套管２１は投入チャンバーと連通し、第２の端部套管２２は格納容器３と連通し、第１の端部套管２１と第２の端部套管２２は互いに密封してスリーブ接続されている。また、各套管セット２には、第１の端部套管２１と第２の端部套管２２との間に設置される少なくとも１つの中間套管２３を更に備え、中間套管２３の両端はそれぞれ第１の端部套管２１及び第２の端部套管２２と互いに密封してスリーブ接続されている。具体的には、図３から図５に示すように、各套管セット２には一つの中間套管２３を備え、且つ中間套管２３は、一端が第１の端部套管２１に密封連通し、他端が第２の端部套管２２に密封連通し、中間套管２３は、第１の端部套管２１及び第２の端部套管２２とスリーブ接続されることにより、この第１の端部套管２１、中間套管２３及び第２の端部套管２２を順次接続してなる套管セット２は自由に伸縮でき、投入チャンバーが格納容器３に対して移動すると、この套管セット２は、投入チャンバーの移動に適応的に伴い、自由に伸縮調整でき、衣類処理剤の注入要求を満たすことができる。図３から図５に示すように、洗剤投入チャンバー１１は１つの套管セット２を介して格納容器３と連通し、柔軟剤投入チャンバー１２は１つの套管セット２を介して格納容器３と連通する。投入装置１が格納容器３に対して移動すると、洗剤投入チャンバー１１と格納容器３との間に接続された套管セット２、及び柔軟剤投入チャンバー１２と格納容器３との間に接続された套管セット２は、同時に伸縮することにより、投入装置１は、ユーザーが引き出したり押し込んだりすることに伴い、自由に移動できるようになる。なお、上記の例では、各套管セット２に１つの中間套管２３を有することは、例示的なものに過ぎず、実際の適用においては、当業者は、実際の使用状況に応じて、中間套管２３の数を柔軟に調整でき、例えば、格納容器３に対する投入装置１の最大移動距離が小さい場合、中間套管２３を省略し、第１の端部套管２１と第２の端部套管２２とのスリーブ接続のみで套管セット２の伸縮を完了でき、格納容器３に対する投入装置１の最大移動距離が大きい場合、中間套管２３の数を適宜増加させることで、套管セット２の伸縮要求を満たすことができる。また、第１の端部套管２１の長さ、中間套管２３の長さ及び第２の端部套管２２の長さも、実際の適用において柔軟に調製できるが、ここでは説明を省略する。
【０１２１】
好ましくは、投入チャンバーの底壁は、格納容器３の方向に向けて下方に傾斜しており、及び/又は格納容器３の底壁は、投入装置１から離れる方向に沿って下方に傾斜している。具体的には、図１から図６に示すように、洗剤投入チャンバー１１の底壁と柔軟剤投入チャンバー１２の底壁はいずれも、本体１０に沿って外側から内側に向けて下方に傾斜して設置でき、同時に、格納容器３の底壁も、これに応じて本体１０に沿って外側から内側に向けて下方に傾斜するように設置でき、これにより、洗剤と柔軟剤がスムーズに流れやすくなり、もちろん、実際の適用において、格納容器３の底壁を水平に設置してもよく、このような格納容器３の底壁の変更は、本発明の原理と範囲から逸脱せず、いずれも本発明の保護範囲に属する。さらに好ましくは、第１の端部套管２１は投入チャンバーの後側壁の底部に接続され、第２の端部套管２２は、格納容器の前側壁の頂部に接続される。具体的には、洗剤投入チャンバー１１と柔軟剤投入チャンバー１２の底部には、それぞれ１つの第１の端部套管２１が接続され、対応する第２の端部套管２２はいずれも格納容器３の頂部に接続されるので、洗剤と柔軟剤を投入しやすくなる。もちろん、実際の適用においては、第１の端部套管２１を洗剤投入チャンバー１１と柔軟剤投入チャンバー１２の他の位置に接続してもよく、同様に、第２の端部套管２２も、格納容器3の他の位置に接続してもよい。当業者は、実際の適用において第１の端部套管２１及び第２の端部套管２２の具体的な接続位置を柔軟に設置でき、第１の端部套管２１と投入チャンバーとの接続及び第２の端部套管２２と格納容器３との接続によって投入チャンバー内の衣類処理剤を格納容器３に注入できればよい。
【０１２２】
好ましくは、投入装置１にはガイドレール４が設けられ、本体１０にはガイドレール４に応じて平行移動機構が設けられ、投入装置１は、ガイドレール４と平行移動機構との協働により、格納容器３に対して後退位置と突出位置との間を平行移動できる。その中、図１から図６に示すように、平行移動機構は、ガイドレール４に対応するレール溝5であってもよく、ガイドレール４とレール溝５との協働により、投入装置１の格納容器3に対する指向移動が実現される。また、格納容器３が本体１０に固定できるように、本体１０に格納容器３と投入装置１を収納するための収納チャンバー６を設けることができ、また、格納容器３は収納チャンバー６の後部に固定され、上述したレール溝５は収納チャンバー６の前部内側壁に設けられ、ガイドレール４とレール溝５を通じて投入装置１を収納チャンバー６の前部に収納できる。もちろん、上述の平行移動機構は、スライド突起やスライドレールなどであってもよく、当業者は、実際の適用において、平行移動機構の具体的な構造を柔軟に設置でき、ガイドレール４と平行移動機構との協働によって、投入装置1を本体１０から引き出したり本体１０に押し込んだりすることができればよい。
【０１２３】
好ましくは、投入装置１は、投入装置１が後退位置にある場合、洗濯機の操作パネル８と面一になるトリム板７を更に備える。図１から図６に示すように、投入装置１が本体１０に完全に収納されると、トリム板７の外側の表面は、洗濯機の操作パネル８の外側の表面と面一になり、即ち、トリム板７の外側の表面と、操作パネル８の外側の表面とは同一の平面にあるので、洗濯機全体がより美しくなる。
【０１２４】
さらに好ましくは、本発明の衣類処理剤投入部材は、投入装置１を突出位置に自動的にイジェクトさせるための自動イジェクト機構を更に備える。その中、自動イジェクト機構は、投入装置１を手動操作でイジェクトするか、投入装置１を自動操作でイジェクトするように設置でき、自動イジェクト機構を自動操作で制御する場合、自動イジェクト機構を洗濯機の制御パネルと信号接続でき、制御パネルを操作すると、自動イジェクト機構に信号を発信でき、これにより、自動イジェクト機構を作動させて投入装置１を突出位置に自動的にイジェクトする。自動イジェクト機構を手動操作で制御する場合、トリム板７には、投入装置１を突出位置に自動的にイジェクトさせるように、押し付けられると自動イジェクト機構が起動する押しボタン９が設置できる。
【０１２５】
１つの可能な状況において、自動イジェクト機構は、一端が本体１０又は格納容器３に接続され、他端が投入装置１に接続された弾性リセット部材を備え、投入装置１が後退位置にある場合、弾性リセット部材は、投入装置１を格納容器３から離れる方向に向けて付勢する。具体的には、弾性リセット部材はばねであってもよく、且つ押しボタン９は接続レバーによってばねに選択的に当接してその伸縮を制御し、通常の状態（即ち、投入装置１が後退位置にある場合）において、接続レバーはばねに当接し、押しボタン９が接続レバーによってばねに対する当接を解除すると、ばねは自身の弾性力により投入装置１に押す力を加え、これにより、投入装置１を突出位置に自動的にイジェクトさせる、投入装置１が後退位置に戻ると、接続レバーは再びばねに当接してばねに投入装置１に対する付勢を生じさせる。上記動作のスムーズな進行を保証するために、実際の適用において、投入装置１が後退位置にあるときに、スムーズにロックされる必要がある。１つの好ましい実施形態では、本発明の衣類処理剤投入部材は、投入装置１又は本体１０に設けられたロックフックと、本体１０又は投入装置１に対応して設けられたラッチとを含むロック機構を更に備え、投入装置１が後退位置にある場合、ロックフックはラッチと係合して投入装置１を後退位置にロックする。具体的には、投入装置１にロックフックを設けるとともに、本体１０のロックフックと対応する位置にラッチを設けることができ、ロックフックとラッチとの協働により、投入装置１が本体１０にロックされる。もちろん、投入装置１と本体１０とのロックを実現するために、本体１０にロックフックを設け、投入装置１にラッチを設けることもできる。なお、上述した弾性リセット部材及びロック機構の具体的な構造は例示的なものに過ぎず、例えば、弾性リセット部材はねじりばねを採用することもでき、ロック機構は、突起と凹溝が嵌合する構造を採用することもでき、当業者は、実際の適用において、弾性リセット部材及びロック機構の具体的な構造を柔軟に設置でき、弾性リセット部材により投入装置１を自動的にイジェクトでき、且つロック機構により投入装置１を本体１０とロックすることができればよい。
【０１２６】
好ましくは、本発明の衣類処理剤投入部材は、格納容器３と連通し、格納容器３における衣類処理剤を洗濯機の作業チャンバーにポンプ輸送するためのポンプ輸送装置を更に備える。その中、ポンプ輸送装置は、一端が格納容器３と連通し、他端が洗濯機の作業チャンバーと連通する水圧ポンプであってもよい。また、水圧ポンプは制御パネルと信号接続され、制御パネルを通じて水圧ポンプをオンに操作することにより、格納容器３における衣類処理剤を作業チャンバーに注入し、衣類の洗浄作業を完了できる。もちろん、上述したポンプ輸送装置が水圧ポンプであることは例示的なものに過ぎず、当業者は、実際の適用において、ポンプ輸送装置の具体的な構造を柔軟に設置でき、ポンプ輸送装置により、格納容器３における洗剤と柔軟剤との混合剤を洗濯機の作業チャンバーに注入できればよい。
【０１２７】
実施例２
本発明の衣類処理剤投入部材は、投入装置を格納容器と連通させるとともに、投入装置を格納容器に対して移動可能なように設置される連通装置を更に備える。その中、連通装置は、挿着装置、スリーブ接続装置、伸縮装置、又は撓性接続装置などであってもよく、当業者は、実際の適用において、連通装置の具体的な構造を柔軟に設置でき、連通装置により投入装置と格納容器とを連通させることができるとともに、投入装置の正常な移動を妨げることがなければよい。本発明において、主に連通装置を挿着装置として詳しく説明する。
【０１２８】
具体的には、本発明の連通装置は、一部が投入装置に設けられ、その他の一部が格納容器に設けられる挿着装置の形態で設置されるので、投入装置が格納容器に対して突出位置に移動すると、挿着装置は投入装置を格納容器と連通させ、投入装置における衣類処理剤を格納容器に流れ込むことができる。その中、投入装置は投入ケース、投入板又は投入ラックなどであってもよく、当業者は実際の適用において、投入装置の具体的な構造を柔軟に設置でき、該投入装置を通じて衣類処理剤を挿着装置により格納容器に投入できればよい。また、格納容器が本体に固定できるように、本体に格納容器と投入装置を収納するための収納チャンバーを設けることができ、また、格納容器は収納チャンバーの後部に固定され、投入装置が後退位置に移動すると、投入装置は収納チャンバーの前部に収納される。また、衣類処理剤は、洗剤と柔軟剤などを含み、当業者は実際の適用において、衣類処理剤の種類及び具体的なタイプを柔軟に設置でき、該衣類処理剤を通じて衣類の洗浄を実現できればよい。
【０１２９】
好ましくは、図７から図１３に示すように、投入装置１は、少なくとも１つの投入チャンバーを備え、挿着装置は、投入チャンバーに１つずつ対応する少なくとも１つの挿着部材２を備え、各挿着部材２は、１つの投入チャンバーを格納容器３に連通させる。その中、投入チャンバーの数は１つでもよく、複数でもよく、当業者は実際の適用において、投入チャンバーの具体的な数を柔軟に設置でき、投入チャンバーを通じて衣類処理剤を格納容器３に投入できればよい。１つの可能な状況において、投入チャンバーの数は１つであり、即ち、投入チャンバーによってまず洗剤をこの投入チャンバーに投入し、その後１つの挿着部材２を介して洗剤を格納容器３に輸送して格納できる。もう１つの可能な状況において、図７から図１３に示すように、投入チャンバーの数は２つであり、それぞれ洗剤投入チャンバー１１と柔軟剤投入チャンバー１２であり、その中、洗剤投入チャンバー１１には洗剤投入口を有し、柔軟剤投入チャンバー１２には柔軟剤投入口を有し、洗剤投入チャンバー１１によって、洗剤を１つの挿着部材２を介して格納容器３に輸送でき、柔軟剤投入チャンバー１２によって、柔軟剤をもう１つの挿着部材２を介して格納容器３に輸送でき、即ち、まず洗剤と柔軟剤をそれぞれ投入してから、格納チャンバー内で混合格納して、洗濯機が衣類の洗浄のために準備する。
【０１３０】
好ましくは、各挿着部材２は、投入チャンバーと連通し且つ衣類処理剤出口を含む第１の流路部材と、格納容器３と連通し且つ衣類処理剤入口を含む第２の流路部材と、を備え、投入装置１が格納容器３に対して突出位置に移動すると、衣類処理剤出口と衣類処理剤入口は密封して嵌合される。１つの可能な実施形態において、第１の流路部材には、衣類処理剤出口を形成する挿管２１が設けられ、第２の流路部材には、衣類処理剤入口を形成する挿入孔２２が設けられ、投入装置１が格納容器３に対して突出位置に移動すると、挿管２１と挿入孔２２は密封して係合される。もう１つの可能な実施形態において、第１の流路部材には、衣類処理剤出口を形成する挿入孔２２が設けられ、第２の流路部材には、衣類処理剤入口を形成する挿管２１が設けられ、投入装置１が格納容器３に対して突出位置に移動すると、挿入孔２２と挿管２１は密封して係合される。上述した挿入孔２２と挿管２１の２つの係合方式は類似し、以下は第１の場合のみについて詳細に説明する。具体的には、図１１から図１３に示すように、投入装置１が右に移動して突出位置に到着すると、投入装置１は格納容器３と係合する。即ち、第１の流路部材と第２の流路部材とは互いに係合し、このとき、挿管２１は挿入孔２２内に延びているので、洗剤投入チャンバー１１内の洗剤は格納容器３に入ることができ、かつ柔軟剤投入チャンバー１２内の柔軟剤も格納容器３に入ることができ、これにより、洗剤と軟化剤の混合格納が実現される。実際の適用において、挿管２１と挿入孔２２が密封して接続できるように保証するために、挿管２１と挿入孔２２との間（即ち、挿管２１の外壁と挿入孔２２の内壁との間）にシールリングを設けることにより、挿管２１と挿入孔２２とを密封できる。シールリングはＯ型シールリング又は他の形のシールリングを選択して使用できる。当業者は、実際の適用において、シールリングの具体的なタイプを柔軟に設置でき、シールリングによって挿管２１と挿入孔２２を密封できればよい。
【０１３１】
さらに好ましくは、投入装置１が突出位置に到着していないときに、投入装置１及び格納容器３における衣類処理剤が漏れないように保証するために、衣類処理剤出口及び衣類処理剤入口を密封する必要がある。具体的には、図１３に示すように、挿管２１には、通常の状態で衣類処理剤出口に貼り合わせることで衣類処理剤出口を閉鎖する第１のバルブプレート４が設置され、挿入孔２２には、通常の状態で衣類処理剤入口に貼り合わせることで衣類処理剤入口を閉鎖する第２のバルブプレート５が設置される。第２のバルブプレート５には、更に外に延びる支柱６が設けられ、挿管２１と挿入孔２２が係合すると、挿管２１は第２のバルブプレート５を押して衣類処理剤入口を開くと同時に、支柱６は第１のバルブプレート４を押して衣類処理剤出口を開く。具体的には、投入装置１が右に移動して突出位置に到着すると、投入チャンバー（柔軟剤投入チャンバー１２を例に説明する）は格納容器３と係合し、このとき、挿管２１は右に移動し、且つ第２のバルブプレート５を押して衣類処理剤入口を開き、このとき、支柱６（実際の適用では、支柱６の長さは挿管２１の長さよりも大きいはず）はそれに伴い、第１のバルブプレート４を押して衣類処理剤出口を開き、これにより、衣類処理剤入口と衣類処理剤出口は連通され、柔軟剤投入チャンバー１２内の柔軟剤は順次、衣類処理剤出口、挿管２１及び衣類処理剤入口を介して、格納容器３に入ることができるように保証される。一方、投入装置１が左に移動して柔軟剤投入チャンバー１２を格納容器３と分離させると、第２のバルブプレート５に対する挿管２１の推力が除去されると同時に、第１のバルブプレート４に対する支柱６の推力も除去される。この時、第１のバルブプレート４は衣類処理剤出口を閉鎖し、第２のバルブプレート５は衣類処理剤入口を閉鎖することにより、柔軟剤が衣類処理剤出口から漏れることなく、同時に、洗剤と柔軟剤の混合剤が衣類処理剤入口から漏れることもない。実際の適用では、第１のバルブプレート４と第２のバルブプレート５は弾性材料から作製できるので、第１のバルブプレート４と第２のバルブプレート５への力が除去された後で、第１のバルブプレート４は自身の弾性リセット作用で衣類処理剤出口を閉鎖でき、第２のバルブプレート５も自身の弾性リセット作用で衣類処理剤入口を閉鎖できる。
【０１３２】
さらに好ましくは、第１の流路部材は、投入チャンバーから下方に延びる本体部分２３を備え、挿管２１は、本体部分２３から外側に水平に延び（図１３においては、左から右に水平に延び）、第２の流路部材は、格納容器３から外側に水平に延びる（図１３においては、左から右に水平に延びる）本体区間２４と、本体区間２４から上方に延びる鉛直区間２５とを備え、鉛直区間２５の内側に挿入孔２２が形成されている。図１３に示すように、また柔軟剤投入チャンバー１２を例に説明すると、柔軟剤投入チャンバー１２、第１の流路部材及び第２の流路部材はともに、略「S」字状の流れ通路を形成し、即ち、柔軟剤は、最初に左に横方向に移動し、次に第１の流路部材の本体部分２３を通って下に流れ、更に挿管２１を通って右に流れ、その後第２の流路部材の鉛直区間２５を通って下に流れ、最後的に第２の流路部材の本体区間２４を通って左に流れ、最後に、格納容器３に入る。もちろん、上述した第１の流路部材及び第２の流路部材の配置方式は例示的なものに過ぎず、当業者は、実際の適用において、第１の流路部材及び第２の流路部材の具体的な構造及び具体的な流れ方向を柔軟に設置でき、第１の流路部材及び第２の流路部材により、投入チャンバー内の衣類処理剤をスムーズに格納容器３に流れ込むことができればよい。
【０１３３】
なお、本発明の挿着装置は、上述した実施例に示された挿管２１と挿入孔２２の嵌合方式の他に、２つの直径の異なる嵌合管を挿着する方式など、その他の挿着方式を採用してもよい。当業者は、実際の適用において、挿着装置の具体的な構造を柔軟に設置でき、挿着装置により、投入装置１が突出位置に移動する際に、投入装置１と格納容器３とを連通させることができればよい。また、投入装置１が突出位置に移動するときに、挿着装置が所定の位置に挿着されるのを保証するために、変位センサーを投入装置１/本体１０に設けることができ、これにより投入装置１が突出位置に正確に移動できるとともに、挿着装置が所定の位置に挿着され得るので、投入装置１を格納容器３と連通させ、且つ密封接続の失効が防止される。
【０１３４】
好ましくは、投入チャンバーの底壁は、格納容器３の方向に向けて下方に傾斜しており、及び/又は格納容器３の底壁は、投入装置１から離れる方向に沿って下方に傾斜している。具体的には、図７から図１４に示すように、洗剤投入チャンバー１１の底壁と柔軟剤投入チャンバー１２の底壁はいずれも、本体１０に沿って外側から内側に向けて下方に傾斜して設置でき、同時に、格納容器３の底壁も、これに応じて本体１０に沿って外側から内側に向けて下方に傾斜するように設置でき、これにより、洗剤と柔軟剤がスムーズに流れやすくなり、もちろん、実際の適用において、格納容器３の底壁を水平に設置してもよく、このような格納容器３の底壁の変更は、本発明の原理と範囲から逸脱せず、いずれも本発明の保護範囲に属する。
【０１３５】
好ましくは、投入装置１にはガイドレール２０が設けられ、本体１０にはガイドレール２０に合わせた平行移動機構が設けられ、投入装置１は、ガイドレール２０と平行移動機構との協働により、格納容器３に対して後退位置と突出位置との間を平行移動できる。その中、図７から図１４に示すように、平行移動機構は、ガイドレール２０に対応するレール溝３０であってもよく、ガイドレール２０とレール溝３０との協働により、投入装置１の格納容器３に対する所定の方向への移動が実現される。また、格納容器３が本体１０に固定できるように、本体１０に格納容器３と投入装置１を収納するための収納チャンバー４０を設けることができ、また、格納容器３は収納チャンバー４０の後部に固定され、上述したレール溝３０は収納チャンバー４０の前部内側壁に設けられ、ガイドレール２０とレール溝３０を通じて投入装置１を収納チャンバー４０の前部に収納できる。もちろん、上述の平行移動機構は、スライド突起やスライドレールなどであってもよく、当業者は、実際の適用において、平行移動機構の具体的な構造を柔軟に設置でき、ガイドレール２０と平行移動機構との協働によって、投入装置1を本体１０から引き出したり本体１０に押し込んだりすることができればよい。
【０１３６】
好ましくは、投入装置１は、投入装置１が後退位置にある場合、洗濯機の操作パネル８と面一になるトリム板７を更に備える。図７から図14に示すように、投入装置１が本体１０に完全に収納されると、トリム板７の外側の表面は、洗濯機の操作パネル８の外側の表面と面一になり、即ち、トリム板７の外側の表面と、操作パネル８の外側の表面とは同一の平面になるので、洗濯機全体がより美しくなる。
【０１３７】
さらに好ましくは、本発明の衣類処理剤投入部材は、投入装置１を突出位置に自動的にイジェクトさせるための自動イジェクト機構を更に備える。その中、自動イジェクト機構は、投入装置１を手動操作でイジェクトするか、投入装置１を自動操作でイジェクトするように設置でき、自動イジェクト機構を自動操作で制御する場合、自動イジェクト機構を洗濯機の制御パネルと信号接続でき、制御パネルを操作すると、自動イジェクト機構へ信号を発信でき、これにより、自動イジェクト機構を作動させて投入装置１を突出位置に自動的にイジェクトする。自動イジェクト機構を手動操作で制御する場合、トリム板７には、投入装置１を突出位置に自動的にイジェクトさせるように、押し付けられると自動イジェクト機構が起動する押しボタン９を設置できる。
【０１３８】
１つの可能な状況において、自動イジェクト機構は、一端が本体１０又は格納容器３に接続され、他端が投入装置１に接続された弾性リセット部材を備え、投入装置１が後退位置にある場合、弾性リセット部材は、投入装置１を格納容器３から離れる方向に向けて付勢する。具体的には、弾性リセット部材はばねであってもよく、且つ押しボタン９は接続レバーによってばねに選択的に当接してその伸縮を制御し、通常の状態（即ち、投入装置１が後退位置にある場合）において、接続レバーはばねに当接し、押しボタン９が接続レバーによってばねに対する当接を解除すると、ばねは自身の弾性力により投入装置１に推力を加え、これにより、投入装置１を突出位置に自動的にイジェクトさせ、投入装置１が後退位置に戻ると、接続レバーは再びばねに当接してばねに投入装置１に対する付勢を生じさせる。上記動作のスムーズな進行を保証するために、実際の適用において、投入装置１が後退位置にあるときに、スムーズにロックされる必要がある。１つの好ましい実施形態では、本発明の衣類処理剤投入部材は、投入装置１又は本体１０に設けられたロックフックと、本体１０又は投入装置１に対応して設けられたラッチとを含むロック機構を更に備え、投入装置１が後退位置にある場合、ロックフックはラッチと係合して投入装置１を後退位置にロックする。具体的には、投入装置１にロックフックを設けるとともに、本体１０のロックフックと対応する位置にラッチを設けることができ、ロックフックとラッチとの協働により、投入装置１が本体１０にロックされる。もちろん、投入装置１と本体１０とのロックを実現するために、本体１０にロックフックを設け、投入装置１にラッチを設けることもできる。なお、上述した弾性リセット部材及びロック機構の具体的な構造は例示的なものに過ぎず、例えば、弾性リセット部材はねじりばねを採用することもでき、ロック機構は、突起と凹溝とが嵌合する構造を採用することもでき、当業者は、実際の適用において、弾性リセット部材及びロック機構の具体的な構造を柔軟に設置でき、弾性リセット部材により投入装置１を自動的にイジェクトでき、且つロック機構により投入装置１を本体１０とロックすることができればよい。
【０１３９】
好ましくは、本発明の衣類処理剤投入部材は、格納容器３と連通し、格納容器３における衣類処理剤を洗濯機の作業チャンバーにポンプ輸送するためのポンプ輸送装置を更に備える。その中、ポンプ輸送装置は、一端が格納容器３と連通し、他端が洗濯機の作業チャンバーと連通する水圧ポンプであってもよい。また、水圧ポンプは制御パネルと信号接続され、制御パネルを通じて水圧ポンプをオンに操作することにより、格納容器３における衣類処理剤を作業チャンバーに注入し、衣類の洗浄作業を完了できる。もちろん、上述したポンプ輸送装置が水圧ポンプであることは例示的なものに過ぎず、当業者は、実際の適用において、ポンプ輸送装置の具体的な構造を柔軟に設置でき、ポンプ輸送装置により、格納容器３における洗剤と柔軟剤との混合剤を洗濯機の作業チャンバーに注入できればよい。
【０１４０】
実施例３
図１５から図２６に示すように、本発明の衣類処理剤投入部材は、枢動機構２をさらに備え、投入装置１は枢動機構２によって本体１０に対して枢動し、且つ枢動機構２には、投入装置１を格納容器３と連通させる流れ通路が設けられている。その中、投入装置１は投入ケース、投入板又は投入ラックなどであってもよく、当業者は実際の適用において、投入装置１の具体的な構造を柔軟に設置でき、該投入装置１を通じて衣類処理剤を枢動機構２における流れ通路により格納容器３に投入できればよい。また、格納容器３が本体１０に固定できるように、本体１０に格納容器３と投入装置１を収納するための収納チャンバー２０を設けることができ、また、格納容器３は収納チャンバー２０の後部に固定され、投入装置１が閉位置に枢動すると、投入装置１は収納チャンバー２０の前部に収納される。また、衣類処理剤は、洗剤と柔軟剤などを含み、当業者は実際の適用において、衣類処理剤の種類及び具体的なタイプを柔軟に設置でき、該衣類処理剤を通じて衣類の洗浄を実現できればよい。なお、本発明における枢動機構２は、横向き枢動機構（即ち、枢動機構２の枢動軸線は水平方向）であってもよく、縦向き枢動機構（即ち、枢動機構２の枢動軸線は鉛直方向）であってもよい。当業者は実際の適用において、枢動機構２の具体的な構造及び枢動方向を柔軟に設置でき、枢動機構２を通じて投入装置１を本体１０に対して突出位置に枢動させることができればよい。
【０１４１】
好ましくは、図１９から図２５に示すように、枢動機構２は、軸座２１と、軸座２１に枢動可能に挿入された枢軸２２と、を備え、流れ通路は、軸座２１に設けられた第１の流れ通路５と、枢軸２２に設けられた第２の流れ通路６と、を備え、第１の流れ通路５は格納容器３と連通し、第２の流れ通路６は第１の流れ通路５及び投入装置１と連通する。このような設置により、投入装置１が突出位置に枢動すると、衣類処理剤を投入装置１に投入でき、投入装置１における衣類処理剤は順次、枢軸２２における第２の流れ通路６と軸座２１における第１の流れ通路５に沿って格納容器３に入り、衣類処理剤の輸送と注入が実現される。また、投入装置１は、少なくとも１つの投入チャンバーを備え、枢軸２２には、投入チャンバーに１つずつ対応する少なくとも１つの衣類処理剤入口が設けられ、各衣類処理剤入口は、１つの投入チャンバーを第２の流れ通路６に連通させる。その中、投入チャンバーの数は１つでもよく、複数でもよく、当業者は実際の適用において、投入チャンバーの具体的な数を柔軟に設置でき、投入チャンバーを通じて衣類処理剤を格納容器３に投入できればよい。１つの可能な状況において、投入チャンバーの数は１つであり、即ち、投入チャンバーによってまず洗剤をこの投入チャンバーに投入し、その後１つの衣類処理剤入口を介して洗剤を第２の流れ通路６に輸送できる。もう１つの可能な状況において、図１９から図２５に示すように、投入チャンバーの数は２つであり、それぞれ洗剤投入チャンバー１１と柔軟剤投入チャンバー１２であり、その中、洗剤投入チャンバー１１には洗剤投入口を有し、柔軟剤投入チャンバー１２には柔軟剤投入口を有し、洗剤投入チャンバー１１によって、洗剤を枢軸２２における１つの衣類処理剤入口を介して第２の流れ通路６の内に注入でき、同様に、柔軟剤投入チャンバー１２によって、柔軟剤を枢軸２２におけるもう１つの衣類処理剤入口を介して第２の流れ通路６に注入でき、さらに第１の流れ通路５を通じて洗剤と柔軟剤を格納容器３に導入して格納することにより、洗濯機が衣類の洗浄のために準備する。具体的には、洗剤投入チャンバー１１を例に説明すると、図２３に示すように、投入装置１が突出位置に枢動すると、洗剤投入口を介して洗剤を洗剤投入チャンバー１１に投入し、洗剤は下方に向けて左に流れ、且つ洗剤はまず枢軸２２における第２の流れ通路を通じてから軸座２１における第１の流れ通路５に入り、最終的に格納容器３に入り、格納される。本発明の構造において、柔軟剤の具体的な流れ方式は洗剤の具体的な流れ方式と似ているので、ここでは説明を省略する。
【０１４２】
好ましくは、本発明の衣類処理剤投入部材は、軸座２１と格納容器３との間に設けられ、第１の流れ通路５を格納容器３に連通させるための連通部材４を更に備える。連通部材４により、投入装置１の格納容器３に対する最大移動距離を適度に増加でき、即ち、長さが異なる連通部材４を設けることにより、異なる洗濯機の配置要求に適合できる。また、連通部材４の底壁は、投入装置１から離れる方向に沿って下方に傾斜することが好ましい。即ち、連通部材４の底壁は、本体１０に沿って外側から内側に向けて下方に傾斜することにより、衣類処理剤が流れやすくなり、衣類処理剤が格納容器３に迅速に入ることができる。もちろん、実際の適用では、連通部材４の底壁を水平に設置してもよく、当業者は実際の適用において、連通部材４の底壁の設置方式を柔軟に調整でき、連通部材４を通じて衣類処理剤を投入装置１から格納容器３に導入できればよい。
【０１４３】
好ましくは、軸座２１両端の内壁又は枢軸２２両端の外壁には、シールリングが設けられた密封溝が設置されている。具体的には、枢軸２２が軸座２１内に挿入されているとき、枢軸２２がスムーズに回動できるように保証するために、枢軸２２と軸座２１との間に一定の隙間が形成され、この隙間から衣類処理剤が漏れないように、軸座２１の内壁に、中にシールリングが設けられた密封溝を設置でき、この隙間をシールリングで密封することで、衣類処理剤がこの隙間から漏れないように保証し、その密封効果が保証される。その代わりに、中にシールリングも設けられた密封溝を枢軸２２の外壁に設置することもでき、この隙間をシールリングで密封することが実現される。実際の適用において、シールリングはＯ型シールリング又は他の形のシールリングを選択して使用できる。当業者は、実際の適用において、シールリングの具体的なタイプを柔軟に設置でき、シールリングによって枢軸２２と軸座２１を密封できればよい。また、投入装置１を開く時の力が大きすぎて振動が発生して、衣類処理剤が漏れることを避けるために、枢軸２２と軸座２１との間に、回転ダンパーやギア・ラックダンパー等のダンパーを設置でき、弾力の作用で投入装置１を緩やかに開くことが実現される。
【０１４４】
なお、本発明の枢動機構２は、上述した実施例に示された枢軸２２と軸座２１の嵌合方式の他に、ギア部材や親ねじ・ナット部材など、その他の枢動方式を採用してもよい。当業者は、実際の適用において、枢動機構２の具体的な構造を柔軟に設置でき、枢動機構２により、投入装置１を閉位置と突出位置との間に枢動できるとともに、枢動機構２における流れ通路により投入装置１と格納容器３とを連通させることができればよい。
【０１４５】
好ましくは、投入チャンバーの底壁は、格納容器３の方向に向けて下方に傾斜しており、及び/又は格納容器３の底壁は、投入装置１から離れる方向に沿って下方に傾斜している。具体的には、図１５から図２６に示すように、洗剤投入チャンバー１１の底壁と柔軟剤投入チャンバー１２の底壁はいずれも、本体１０に沿って外側から内側に向けて下方に傾斜して設置でき、同時に、格納容器３の底壁も、これに応じて本体１０に沿って外側から内側に向けて下方に傾斜するように設置でき、これにより、洗剤と柔軟剤がスムーズに流れやすくなり、もちろん、実際の適用において、格納容器３の底壁を水平に設置してもよく、このような格納容器３の底壁の変更は、本発明の原理と範囲から逸脱せず、いずれも本発明の保護範囲に属する。
【０１４６】
好ましくは、投入装置１は、投入装置１が閉位置に枢動する場合、洗濯機の操作パネル８と面一になるトリム板７を更に備える。図１５から図２６に示すように、投入装置１が本体１０内に完全に収納されると、トリム板７の外側の表面は、洗濯機の操作パネル８の外側の表面と面一になり、即ち、トリム板７の外側の表面と、操作パネル８の外側の表面とは同一の平面にあるので、洗濯機全体がより美しくなる。
【０１４７】
さらに好ましくは、本発明の衣類処理剤投入部材は、投入装置１を突出位置に自動的にイジェクトさせるための自動イジェクト機構を更に備える。その中、自動イジェクト機構は、投入装置１を手動操作でイジェクトするか、投入装置１を自動操作でイジェクトするように設置でき、自動イジェクト機構を自動操作で制御する場合、自動イジェクト機構を洗濯機の制御パネルと信号接続でき、制御パネルを操作すると、自動イジェクト機構へ信号を発信でき、これにより、自動イジェクト機構を作動させて投入装置１を突出位置に自動的にイジェクトする。自動イジェクト機構を手動操作で制御する場合、トリム板７には、投入装置１を突出位置に自動的にイジェクトさせるように、押し付けられると自動イジェクト機構が起動する押しボタン９が設置できる。
【０１４８】
１つの可能な状況において、自動イジェクト機構は、一端が本体１０に接続され、他端が投入装置１に接続された弾性リセット部材を備え、投入装置１が閉位置にある場合、弾性リセット部材は、投入装置１に開放位置に向けて枢動する付勢力を加える。具体的には、弾性リセット部材はねじりばねであってもよく、且つ押しボタン９は接続レバーによってねじりばねに選択的に当接してそのねじりを制御でき、通常の状態（即ち、投入装置１が閉位置にある場合）において、接続レバーはねじりばねに当接し、押しボタン９が接続レバーによってねじりばねに対する当接を解除すると、ねじりばねは自身のねじり力を放すとともに、投入装置１に推力を加え、これにより、投入装置１を突出位置に自動的にイジェクトさせ、投入装置１が閉位置に戻ると、接続レバーは再びねじりばねに当接してねじりばねに投入装置１に対する付勢を生じさせる。上記動作がスムーズに進行するように保証するために、実際の適用において、投入装置１が閉位置にあるときに、スムーズにロックされる必要がある。１つの好ましい実施形態では、本発明の衣類処理剤投入部材は、投入装置１又は本体１０に設けられたロックフックと、本体１０又は投入装置１に対応して設けられたラッチとを含むロック機構を更に備え、投入装置１が閉位置に枢動する場合、ロックフックはラッチと係合して投入装置１を閉位置にロックする。具体的には、投入装置１にロックフックを設けるとともに、本体１０のロックフックと対応する位置にラッチを設けることができ、ロックフックとラッチとの協働により、投入装置１が本体１０にロックされる。もちろん、投入装置１と本体１０とのロックを実現するために、本体１０にロックフックを設け、投入装置１にラッチを設けることもできる。なお、上述した弾性リセット部材及びロック機構の具体的な構造は例示的なものに過ぎず、例えば、弾性リセット部材はばねを採用することもでき、ロック機構は、突起と凹溝とが嵌合する構造を採用することもでき、当業者は、実際の適用において、弾性リセット部材及びロック機構の具体的な構造を柔軟に設置でき、弾性リセット部材により投入装置１を自動的にイジェクトでき、且つロック機構により投入装置１を本体１０とロックすることができればよい。
【０１４９】
好ましくは、本発明の衣類処理剤投入部材は、格納容器３と連通し、格納容器３における衣類処理剤を洗濯機の作業チャンバーにポンプ輸送するためのポンプ輸送装置を更に備える。その中、ポンプ輸送装置は、一端が格納容器３と連通し、他端が洗濯機の作業チャンバーと連通する水圧ポンプであってもよい。また、水圧ポンプは制御パネルと信号接続され、制御パネルを通じて水圧ポンプをオンに操作することにより、格納容器３における衣類処理剤を作業チャンバーに注入し、衣類の洗浄作業を完了できる。もちろん、上述したポンプ輸送装置が水圧ポンプであることは例示的なものに過ぎず、当業者は、実際の適用において、ポンプ輸送装置の具体的な構造を柔軟に設置でき、ポンプ輸送装置により、格納容器３における洗剤と柔軟剤との混合剤を洗濯機の作業チャンバーに注入できればよい。
【０１５０】
実施例４
図２７から図３５に示すように、本発明の衣類処理剤投入部材は、縦向き枢動機構２を更に備え、投入装置１は縦向き枢動機構２によって本体１０に対して縦向き軸線に沿って枢動し、且つ縦向き枢動機構２には、投入装置１を格納容器３と連通させる流れ通路が設けられている。その中、投入装置１は投入ケース、投入板又は投入ラックなどであってもよく、当業者は実際の適用において、投入装置１の具体的な構造を柔軟に設置でき、該投入装置１を通じて衣類処理剤を縦向き枢動機構２における流れ通路により格納容器３に投入できればよい。また、格納容器３が本体１０に固定できるように、本体１０に格納容器３と投入装置１を収納するための収納チャンバーを設けることができ、また、格納容器３は収納チャンバーの後部に固定され、投入装置１が閉位置に縦向き枢動すると、投入装置１は収納チャンバーの前部に収納される。また、衣類処理剤は、洗剤と柔軟剤などを含み、当業者は実際の適用において、衣類処理剤の種類及び具体的なタイプを柔軟に設置でき、該衣類処理剤を通じて衣類の洗浄を実現できればよい。なお、本発明における縦向き枢動機構２の縦向きとは、この縦向き枢動機構２の枢動軸２２線が鉛直方向であることを指す。
【０１５１】
好ましくは、図２７から図３５に示すように、縦向き枢動機構２は、軸座２１と、軸座２１に枢動可能に挿入された枢軸２２と、を備え、流れ通路は、枢軸２２に設けられる。このような設置により、投入装置１が突出位置に縦向き枢動すると、衣類処理剤を投入装置１に投入でき、投入装置１における衣類処理剤は順次、枢軸２２における流れ通路を通って格納容器３に流れ込み、衣類処理剤の輸送と注入が実現される。また、投入装置１は、少なくとも１つの投入チャンバーを備え、枢軸２２には、投入チャンバーに１つずつ対応する少なくとも１つの導流管が設けられ、各導流管は、１つの投入チャンバーを格納容器３に連通させる。具体的には、導流管は、枢軸２２における流れ通路内に設置され、導流管は、流れ通路全体であってもよいし、流れ通路の一部であってもよい。例えば、投入チャンバーの数が１つである場合、導流管は流れ通路であってもよく、即ち、投入チャンバーにおける衣類処理剤をこの導流管を介して格納容器３に導入できる。投入チャンバーの数が複数である場合、投入装置１が本体１０に対してスムーズに枢動できるように、すべての導流管はともに流れ通路の一部を形成するとともに、その中の１つの導流管の回転軸２２線は枢軸２２の回転軸２２線と互いに重なり合う。要するに、当業者は実際の適用において、投入チャンバーの具体的な数を柔軟に設置でき、投入チャンバーを通じて衣類処理剤を格納容器３に投入できればよい。１つの可能な状況において、図２７から図３５に示すように、投入チャンバーの数は２つであり、それぞれ洗剤投入チャンバー１１と柔軟剤投入チャンバー１２であり、その中、洗剤投入チャンバー１１には洗剤投入口を有し、柔軟剤投入チャンバー１２には柔軟剤投入口を有し、洗剤投入チャンバー１１によって、洗剤を枢軸２２における１つの導流管を介して格納容器３に輸送でき、同様に、柔軟剤投入チャンバー１２によって、柔軟剤を枢軸２２におけるもう１つの導流管を介して格納容器３に輸送でき、これにより、洗濯機が衣類の洗浄のために準備する。具体的には、本発明の衣類処理剤投入部材は、軸座２１と格納容器３との間に設けられ、且つ導流管と１つずつ対応する少なくとも１つの導流通路を含む連通部材４を更に備え、各導流通路は１つの導流管を格納容器３に連通させるために使用される。即ち、各導流通路を通じて、それと連通する導流管における衣類処理剤を、格納容器３に導くことができ、その中、導流通路が複数である場合、導流通路を水平方向に横向きに配置してもよいし、鉛直方向に縦向きに配置してもよい。以下、導流管は、第１の導流管５と第２の導流管６とを備え、導流通路は、頂層導流通路４１と底層導流通路４２とを備えることを例に、本発明の技術案を更に説明する。
【０１５２】
具体的に、図３０に示すように、導流管は、第１の導流管５と第２の導流管６とを備え、導流通路は、第１の導流管５と連通する頂層導流通路４１、及び第２の導流管６と連通する底層導流通路４２を備え、且つ第１の導流管５は、洗剤投入チャンバー１１と連通し、第２の導流管６は、柔軟剤投入チャンバー１２と連通し、投入装置１が突出位置に縦向き枢動すると、洗剤を洗剤投入チャンバー１１内へ投入でき、洗剤は順次、洗剤投入チャンバー１１、第１の導流管５及び第１の導流通路を介して格納容器３に入り、柔軟剤は順次、柔軟剤投入チャンバー１２、第２の導流管６及び第２の導流通路を介して格納容器３に入る。また、投入装置１がスムーズに枢動可能なように、第２の導流管６の回転軸２２線は枢軸２２の回転軸２２線と互いに重なり合う。これにより、投入装置１が突出位置と閉位置との間において枢動すると、即ち、枢軸２２が軸座２１内において枢動すると、第２の導流管６は自分の軸線に沿って回動し、第１の導流管５は第２の導流管６に対して振子回動するとともに、第１の導流管５は常に第１の導流通路との連通を維持でき、第２の導流管６は常に第２の導流通路との連通を維持でき、このような設置により、洗剤と柔軟剤との階層的且つスムーズな輸送が実現される。また、第２の導流管６は、実際の作業時に、繰り返し回転する必要があるので、頂層導流通路４１と底層導流通路４２との間の密封性を保証するために、第２の導流管６が導流通路と底層導流通路４２との間の仕切り板を貫通する位置において、シールリング/シールストリップ/シール軸受けを設置でき、これにより、頂層導流通路４１と底層導流通路４２同士の内部の衣類処理剤が互いに漏れないように保証される。もちろん、その代わりに、洗剤投入チャンバー１１と柔軟剤投入チャンバー１２の位置を交換することもでき、このような構造と配置の変換は本発明の原理と範囲から逸脱していない。
【０１５３】
好ましくは、軸座２１の内壁又は枢軸２２の外壁には、シールリングが設けられた密封溝が設置されている。具体的には、枢軸２２が軸座２１内に挿入されているとき、枢軸２２がスムーズに回動できるように保証するために、枢軸２２と軸座２１との間に一定の隙間が形成され、この隙間から衣類処理剤が漏れないように、軸座２１の内壁に、中にシールリングが設けられた密封溝を設置でき、この隙間をシールリングで密封することで、衣類処理剤がこの隙間から漏れないように保証し、その密封効果が保証される。その代わりに、中にシールリングも設けられた密封溝を枢軸２２の外壁に設置することもでき、この隙間をシールリングで密封することが実現される。実際の適用において、シールリングはＯ型シールリング又は他の形のシールリングを選択して使用できる。当業者は、実際の適用において、シールリングの具体的なタイプを柔軟に設置でき、シールリングによって枢軸２２と軸座２１を密封できればよい。また、投入装置１を開く時の力が大きすぎて振動が発生して、衣類処理剤が漏れることを避けるために、枢軸２２と軸座２１との間に、回転ダンパーやギア・ラックダンパー等のダンパーを設置でき、弾力の作用で投入装置１を緩やかに開くことが実現される。
【０１５４】
導流通路の底壁は、投入装置１から離れる方向に沿って下方に傾斜することが好ましい。即ち、導流通路の底壁は、本体１０に沿って外側から内側に向けて下方に傾斜することにより、衣類処理剤が流れやすくなり、衣類処理剤が格納容器３に迅速に入ることができる。もちろん、実際の適用では、導流通路の底壁を水平に設置してもよく、当業者は実際の適用において、導流通路の底壁の設置方式を柔軟に調整でき、導流通路を通じて衣類処理剤を投入装置１から格納容器３に排出できればよい。
【０１５５】
好ましくは、投入チャンバーの底壁は、格納容器３の方向に向けて下方に傾斜しており、及び/又は格納容器３の底壁は、投入装置１から離れる方向に沿って下方に傾斜している。具体的には、洗剤投入チャンバー１１の底壁と柔軟剤投入チャンバー１２の底壁はいずれも、本体１０に沿って外側から内側に向けて下方に傾斜して設置でき（ここでの傾斜して設置することは、投入装置１が突出位置にある場合、洗剤投入チャンバー１１の底壁と柔軟剤投入チャンバー１２の底壁は本体１０に沿って外側から内側に向けて下方に傾斜することを指す）、同時に、格納容器３の底壁も、これに応じて本体１０に沿って外側から内側に向けて下方に傾斜するように設置でき、これにより、洗剤と柔軟剤がスムーズに流れやすくなり、もちろん、実際の適用において、格納容器３の底壁を水平に設置してもよく、このような格納容器３の底壁の変更は、本発明の原理と範囲から逸脱せず、いずれも本発明の保護範囲に属する。
【０１５６】
投入装置１の内側は、本体１０から外側に枢動するように弧状に設置されることが好ましい。即ち、投入装置１が枢動するときに本体１０と干渉することを避けるために、投入装置１の内側を、弧状に設置できる。図２７から図３５に示すように、投入装置１が突出位置に枢動すると、投入装置１の格納容器３から離れる側は円弧構造２０に設けられ、その結果、柔軟剤投入口の開口面積は、洗剤投入口の開口面積よりも小さくなる。このような円弧構造２０を採用することにより、投入装置１が閉位置に枢動する場合、本体１０及び収納チャンバーと良好な回避空間を形成でき、投入装置１が収納チャンバーにスムーズに収納されるように保証する。
【０１５７】
好ましくは、投入装置１は、投入装置１が閉位置に枢動する場合、衣類処理設備の操作パネル８と面一になるトリム板７を更に備える。図２７から図３５に示すように、投入装置１が本体１０に完全に収納されると、トリム板７の外側の表面は、洗濯機の操作パネル８の外側の表面と面一になり、即ち、トリム板７の外側の表面と、操作パネル８の外側の表面とは同一の平面にあるので、洗濯機全体がより美しくなる。
【０１５８】
さらに好ましくは、本発明の衣類処理剤投入部材は、投入装置１を突出位置に自動的にイジェクトさせるための自動イジェクト機構を更に備える。その中、自動イジェクト機構は、投入装置１を手動操作でイジェクトするか、投入装置１を自動操作でイジェクトするように設置でき、自動イジェクト機構を自動操作で制御する場合、自動イジェクト機構を洗濯機の制御パネルと信号接続でき、制御パネルを操作すると、自動イジェクト機構へ信号を発信でき、これにより、自動イジェクト機構を作動させて投入装置１を突出位置に自動的にイジェクトする。自動イジェクト機構を手動操作で制御する場合、トリム板７には、投入装置１を突出位置に自動的にイジェクトさせるように、押し付けられると自動イジェクト機構が起動する押しボタン９が設置できる。
【０１５９】
１つの可能な状況において、自動イジェクト機構は、一端が本体１０に接続され、他端が投入装置１に接続された弾性リセット部材を備え、投入装置１が閉位置にある場合、弾性リセット部材は、投入装置１に開放位置に向けて枢動する付勢力を加える。具体的には、弾性リセット部材はねじりばねであってもよく、且つ押しボタン９は接続レバーによってねじりばねに選択的に当接してそのねじりを制御でき、通常の状態（即ち、投入装置１が閉位置にある場合）において、接続レバーはねじりばねに当接し、押しボタン９が接続レバーによってねじりばねに対する当接を解除すると、ねじりばねは自身のねじり力を放すとともに、投入装置１に推力を加え、これにより、投入装置１を突出位置に自動的にイジェクトさせ、投入装置１が閉位置に戻ると、接続レバーは再びねじりばねに当接してねじりばねに投入装置１に対する付勢を生じさせる。上記動作がスムーズに進行するように保証するために、実際の適用において、投入装置１が閉位置にあるときに、スムーズにロックされる必要がある。１つの好ましい実施形態では、本発明の衣類処理剤投入部材は、投入装置１又は本体１０に設けられたロックフックと、本体１０又は投入装置１に対応して設けられたラッチとを含むロック機構を更に備え、投入装置１が閉位置に枢動する場合、ロックフックはラッチと係合して投入装置１を閉位置にロックする。具体的には、投入装置１にロックフックを設けるとともに、本体１０のロックフックと対応する位置にラッチを設けることができ、ロックフックとラッチとの協働により、投入装置１が本体１０にロックされる。もちろん、投入装置１と本体１０とのロックを実現するために、本体１０にロックフックを設け、投入装置１にラッチを設けることもできる。なお、上述した弾性リセット部材及びロック機構の具体的な構造は例示的なものに過ぎず、例えば、弾性リセット部材はばねを採用することもでき、ロック機構は、突起と凹溝とが嵌合する構造を採用することもでき、当業者は、実際の適用において、弾性リセット部材及びロック機構の具体的な構造を柔軟に設置でき、弾性リセット部材により投入装置１を自動的にイジェクトでき、且つロック機構により投入装置１を本体１０とロックすることができればよい。
【０１６０】
好ましくは、本発明の衣類処理剤投入部材は、格納容器３と連通し、格納容器３における衣類処理剤を洗濯機の作業チャンバーにポンプ輸送するためのポンプ輸送装置を更に備える。その中、ポンプ輸送装置は、一端が格納容器３と連通し、他端が洗濯機の作業チャンバーと連通する水圧ポンプであってもよい。また、水圧ポンプは制御パネルと信号接続され、制御パネルを通じて水圧ポンプをオンに操作することにより、格納容器３における衣類処理剤を作業チャンバーに注入し、衣類の洗浄作業を完了できる。もちろん、上述したポンプ輸送装置が水圧ポンプであることは例示的なものに過ぎず、当業者は、実際の適用において、ポンプ輸送装置の具体的な構造を柔軟に設置でき、ポンプ輸送装置により、格納容器３における洗剤と柔軟剤との混合剤を洗濯機の作業チャンバーに注入できればよい。
【０１６１】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021505327.tif 000003
【図２】
2021505327.tif 000004
【図３】
2021505327.tif 000005
【図４】
2021505327.tif 000006
【図５】
2021505327.tif 000007
【図６】
2021505327.tif 000008
【図７】
2021505327.tif 000009
【図８】
2021505327.tif 000010
【図９】
2021505327.tif 000011
【図１０】
2021505327.tif 000012
【図１１】
2021505327.tif 000013
【図１２】
2021505327.tif 000014
【図１３】
2021505327.tif 000015
【図１４】
2021505327.tif 000016
【図１５】
2021505327.tif 000017
【図１６】
2021505327.tif 000018
【図１７】
2021505327.tif 000019
【図１８】
2021505327.tif 000020
【図１９】
2021505327.tif 000021
【図２０】
2021505327.tif 000022
【図２１】
2021505327.tif 000023
【図２２】
2021505327.tif 000024
【図２３】
2021505327.tif 000025
【図２４】
2021505327.tif 000026
【図２５】
2021505327.tif 000027
【図２６】
2021505327.tif 000028
【図２７】
2021505327.tif 000029
【図２８】
2021505327.tif 000030
【図２９】
2021505327.tif 000031
【図３０】
2021505327.tif 000032
【図３１】
2021505327.tif 000033
【図３２】
2021505327.tif 000034
【図３３】
2021505327.tif 000035
【図３４】
2021505327.tif 000036
【図３５】
2021505327.tif 000037
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
衣類処理設備に用いられる衣類処理剤投入部材であって、
前記衣類処理設備は本体を備え、前記衣類処理剤投入部材は、連通された格納容器と投入装置とを備え、前記格納容器は、前記本体に固定設置され衣類処理剤を格納するために使用され、
前記衣類処理剤投入部材は套管装置を更に備え、前記投入装置が前記格納容器に対して移動できると同時に、前記投入装置における衣類処理剤が前記格納容器に流れ込むことができるように、前記套管装置の一端が前記投入装置と連通し、他端が前記格納容器と連通することを特徴とする衣類処理剤投入部材。
【請求項２】
前記投入装置は、少なくとも１つの投入チャンバーを備え、前記套管装置は、前記投入チャンバーに１つずつ対応する少なくとも１つの套管セットを備え、前記套管セット毎は、１つの前記投入チャンバーを前記格納容器に連通させることを特徴とする請求項１に記載の衣類処理剤投入部材。
【請求項３】
前記套管セット毎には、第１の端部套管と第２の端部套管とを備え、前記第１の端部套管は前記投入チャンバーと連通し、前記第２の端部套管は前記格納容器と連通し、前記第１の端部套管と前記第２の端部套管は互いに密封してスリーブ接続されることを特徴とする請求項２に記載の衣類処理剤投入部材。
【請求項４】
前記套管セット毎には、前記第１の端部套管と前記第２の端部套管との間に設置される少なくとも１つの中間套管を更に備え、前記中間套管の両端はそれぞれ前記第１の端部套管及び前記第２の端部套管と互いに密封してスリーブ接続されることを特徴とする請求項３に記載の衣類処理剤投入部材。
【請求項５】
前記投入チャンバーの底壁は、前記格納容器の方向に向けて下方に傾斜しており、及び/又は前記格納容器の底壁は、前記投入装置から離れる方向に沿って下方に傾斜していることを特徴とする請求項２に記載の衣類処理剤投入部材。
【請求項６】
前記第１の端部套管は前記投入チャンバーの後側壁の底部に接続され、前記第２の端部套管は、前記格納容器の前側壁の頂部に接続されることを特徴とする請求項３に記載の衣類処理剤投入部材。
【請求項７】
前記投入装置にはガイドレールが設けられ、前記本体には前記ガイドレールに合わせた平行移動機構が設けられ、前記投入装置は、前記ガイドレールと前記平行移動機構との協働により、前記格納容器に対して後退位置と突出位置との間を平行移動できることを特徴とする請求項１に記載の衣類処理剤投入部材。
【請求項８】
前記衣類処理剤投入部材は、前記投入装置又は前記本体に設けられたロックフックと、前記本体又は前記投入装置に対応して設けられたラッチとを含むロック機構を更に備え、前記投入装置が後退位置にある場合、前記ロックフックは前記ラッチと係合して前記投入装置を後退位置にロックすることを特徴とする請求項７に記載の衣類処理剤投入部材。
【請求項９】
前記衣類処理剤投入部材は、前記格納容器と連通し、前記格納容器における衣類処理剤を前記衣類処理設備の作業チャンバーにポンプ輸送するためのポンプ輸送装置を更に備えることを特徴とする請求項１に記載の衣類処理剤投入部材。
【請求項１０】
請求項１に記載の衣類処理剤投入部材を備えることを特徴とする衣類処理設備。
【国際調査報告】
2021505327.tif 000038
2021505327.tif 000039
2021505327.tif 000040
2021505327.tif 000041
2021505327.tif 000042
2021505327.tif 000043